(57)【要約】【課題】  紙幣を受け入れて、処理する紙幣処理機であって、紙幣処理機の作動停止時に、紙幣処理機内に残留している紙幣を確実に検出して、速やかに取り除くことができ、紙幣の処理効率を大幅に向上させることができる紙幣処理機を提供する。【解決手段】  紙幣処理機は、紙幣に形成されたインレット中のＩＣチップと通信可能な少なくとも１つの通信手段２９を備え、通信手段２９から発信される電波を遮断可能なハウジング１０によって覆われている。【選択図】      図１
2008046896.tif 000002
【特許請求の範囲】
【請求項１】
所定の周波数の電波を発信し、紙幣に形成されたインレット中のＩＣチップと通信可能な少なくとも１つの通信手段を備え、前記通信手段から発信される電波を遮断可能なハウジングによって覆われたことを特徴とする紙幣処理機。
【請求項２】
前記通信手段が、紙幣に形成されたインレット中のＩＣチップに書き込まれたＲＦＩＤデータを読み取り可能なＲＦＩＤリーダーによって構成されたことを特徴とする請求項１に記載の紙幣処理機。
【請求項３】
さらに、紙幣を投入可能で、かつ、紙幣を受け取り可能な紙幣取引口を備え、前記紙幣取引口と、内部機構とが、前記通信手段から発信される電波を遮断可能な部材によって遮断されていることを特徴とする請求項１または２に記載の紙幣処理機。
【請求項４】
前記紙幣取引口と、内部機構とが、前記通信手段から発信される電波を遮断可能な材料によって形成されたシャッタによって遮断されていることを特徴とする請求項３に記載の紙幣処理機。
【請求項５】
さらに、紙幣を投入可能な紙幣入金口を備え、前記紙幣入金口と、内部機構とが、前記通信手段から発信される電波を遮断可能な部材によって遮断されていることを特徴とする請求項１または２に記載の紙幣処理機。
【請求項６】
前記紙幣入金口と、内部機構とが、前記通信手段から発信される電波を遮断可能な材料によって形成されたシャッタによって遮断されていることを特徴とする請求項５に記載の紙幣処理機。
【請求項７】
さらに、紙幣を出金可能な紙幣出金口を備え、前記紙幣出金口と、内部機構とが、前記通信手段から発信される電波を遮断可能な部材によって遮断されていることを特徴とする請求項１、２、５または６に記載の紙幣処理機。
【請求項８】
前記紙幣出金口と、内部機構とが、前記通信手段から発信される電波を遮断可能な材料によって形成されたシャッタによって遮断されていることを特徴とする請求項７に記載の紙幣処理機。
【請求項９】
さらに、紙幣を返却可能な紙幣返却口を備え、前記紙幣返却口と、内部機構とが、前記通信手段から発信される電波を遮断可能な部材によって遮断されていることを特徴とする請求項１ないし８のいずれか１項に記載の紙幣処理機。
【請求項１０】
前記紙幣返却口と、内部機構とが、前記通信手段から発信される電波を遮断可能な材料によって形成されたシャッタによって遮断されていることを特徴とする請求項９に記載の紙幣処理機。
【請求項１１】
さらに、紙幣を金種別に収納する複数の紙幣収納ボックスを備え、前記複数の紙幣収納ボックスが、前記通信手段から発信される電波を遮断可能な材料によって形成されていることを特徴とする請求項１ないし１０のいずれか１項に記載の紙幣処理機。
【請求項１２】
さらに、紙幣を一時的に貯留する紙幣貯留ボックスを備え、前記紙幣貯留ボックスが、前記通信手段から発信される電波を遮断可能な材料によって形成されていることを特徴とする請求項１１に記載の紙幣処理機。
【請求項１３】
さらに、回収すべき紙幣を収容する紙幣回収ボックスを備え、前記紙幣回収ボックスが、前記通信手段から発信される電波を遮断可能な材料によって形成されていることを特徴とする請求項１１または１２に記載の紙幣処理機。
【請求項１４】
さらに、紙幣を集積する紙幣集積機構と、前記紙幣集積機構によって集積された紙幣の略中央部に、結束テープを巻回して、紙幣束を生成する帯封機構を備え、前記紙幣集積機構および前記帯封機構が、前記通信手段から発信される電波を遮断可能な材料によって覆われていることを特徴とする請求項１ないし１０のいずれか１項に記載の紙幣処理機。
【請求項１５】
さらに、前記通信手段の紙幣に形成されたインレット中のＩＣチップとの通信結果に基づいて、紙幣の有無を判定する制御手段と、前記制御手段の判定結果を報知する報知手段を備えたことを特徴とする請求項１ないし１４のいずれか１項に記載の紙幣処理機。
【請求項１６】
前記制御手段が、硬貨処理機の作動が停止したときに、前記通信手段の紙幣に形成されたインレット中のＩＣチップとの通信結果に基づいて、紙幣の有無を判定し、前記報知手段に判定結果を報知させるように構成されたことを特徴とする請求項１５に記載の紙幣処理機。
【請求項１７】
さらに、指示信号を入力する入力手段を備え、前記制御手段が、硬貨処理機の作動停止後に、前記入力手段を通じて、リスタート信号が入力されたときに、前記通信手段の紙幣に形成されたインレット中のＩＣチップとの通信結果に基づいて、紙幣の有無を判定し、前記報知手段に判定結果を報知させるように構成されたことを特徴とする請求項１５または１６に記載の紙幣処理機。
【請求項１８】
前記報知手段が、ディスプレイによって構成されたことを特徴とする請求項１５ないし１７のいずれか１項に記載の紙幣処理機。
【請求項１９】
前記報知手段が、アラームを発するアラーム発生器によって構成されたことを特徴とする請求項１５ないし１７のいずれか１項に記載の紙幣処理機。
【請求項２０】
前記報知手段が、ディスプレイおよびアラームを発するアラーム発生器によって構成されたことを特徴とする請求項１５ないし１７のいずれか１項に記載の紙幣処理機。
【発明の詳細な説明】
【技術分野】
【０００１】
本発明は、紙幣処理機に関するものであり、さらに詳細には、紙幣を受け入れて、処理する紙幣処理機であって、紙幣処理機の作動停止時に、紙幣処理機内に残留している紙幣を確実に検出して、速やかに取り除くことができ、紙幣の処理効率を大幅に向上させることができる紙幣処理機に関するものである。
【背景技術】
【０００２】
紙幣処理機内に投入された紙幣を判別し、受け入れ可能と判別された紙幣を金種別に収納する複数の紙幣収納ボックスを備え、複数の紙幣収納ボックス内に収納された紙幣を出金のために利用するように構成された紙幣処理機が知られている（たとえば、特開２００３−５１０４６号公報など。）。
【０００３】
また、特許第２９４２０９５号は、複数の紙幣収納ボックスを含む内部ユニットが、紙幣処理機本体から取り外し可能に構成され、紙幣処理機本体と内部ユニットとの間の紙幣搬送路に、紙幣処理機本体と内部ユニットとの間に跨って存在している紙幣を検出する残留紙幣センサを設けた紙幣処理機を開示している。
【特許文献１】特開２００３−５１０４６号公報
【特許文献２】特許第２９４２０９５号
【発明の開示】
【発明が解決しようとする課題】
【０００４】
このような紙幣処理機にあっては、紙幣がジャミングを起こした場合などには、紙幣処理機の作動を停止し、紙幣処理機内に残留している紙幣を取り除いた後に、紙幣処理機の作動を再開するように構成されているが、特許第２９４２０９５号に開示された紙幣処理機は、紙幣処理機本体と内部ユニットとの間の紙幣搬送路に、紙幣処理機本体と内部ユニットとの間に跨って存在している紙幣を検出する残留紙幣センサを備えているに過ぎないため、紙幣処理機の作動を停止させたときに、紙幣処理機内に残留しているすべての紙幣を検出することは不可能であり、したがって、紙幣処理機内に残留している紙幣をすべて取り除くのに多大な時間を要し、紙幣の処理効率が低下するという問題があった。
【０００５】
かかる問題は、紙幣処理機の紙幣搬送路に沿って、紙幣処理機内に残留しているすべての紙幣を検出可能なように残留紙幣センサを設けることによって解決することは可能であるが、紙幣処理機内に残留しているすべての紙幣を検出可能なように残留紙幣センサを設けることは、必然的に、紙幣処理機を大型化させるとともに、コストアップを招き、現実的でないという問題があった。
【０００６】
紙幣を受け入れて、所定枚数の紙幣を含む紙幣束を生成するように構成された紙幣処理機においても、同様な問題があった。
【０００７】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００８】
しかしながら、ＲＦＩＤシステムを利用して、紙幣処理機をどのように構成するかについての具体的な提案はほとんどなされていなかった。
【０００９】
したがって、本発明は、紙幣を受け入れて、処理する紙幣処理機であって、紙幣処理機の作動停止時に、紙幣処理機内に残留している紙幣を確実に検出して、速やかに取り除くことができ、紙幣の処理効率を大幅に向上させることができる紙幣処理機を提供することを目的とするものである。
【課題を解決するための手段】
【００１０】
本発明のかかる目的は、所定の周波数の電波を発信し、紙幣に形成されたインレット中のＩＣチップと通信可能な少なくとも１つの通信手段を備え、前記通信手段から発信される電波を遮断可能なハウジングによって覆われたことを特徴とする紙幣処理機によって達成される。
【００１１】
本発明によれば、紙幣処理機は、所定の周波数の電波を発信し、紙幣に形成されたインレット中のＩＣチップと通信可能な少なくとも１つの通信手段を備え、通信手段から発信される電波を遮断可能なハウジングによって覆われているから、通信手段から、所定の周波数の電波を発信し、紙幣に形成されたインレット中のＩＣチップと通信することによって、紙幣処理機内に存在するすべての紙幣を検出することができ、したがって、紙幣処理機の作動が停止したときに、確実にかつ速やかに、紙幣処理機内に残留する紙幣を取り除くことが可能になるから、紙幣処理機の処理効率を大幅に向上させることができる。
【００１２】
本発明の好ましい実施態様においては、前記通信手段が、紙幣に形成されたインレット中のＩＣチップに書き込まれたＲＦＩＤデータを読み取り可能なＲＦＩＤリーダーによって構成されている。
【００１３】
本発明の好ましい実施態様においては、紙幣処理機は、さらに、紙幣を投入可能で、かつ、紙幣を受け取り可能な紙幣取引口を備え、前記紙幣取引口と、紙幣処理機の内部機構とが、前記通信手段から発信される電波を遮断可能な部材によって遮断されている。
【００１４】
本発明の好ましい実施態様によれば、紙幣取引口と、紙幣処理機の内部機構とが、通信手段から発信される電波を遮断可能な部材によって遮断されているから、紙幣処理機の作動が停止したときに、紙幣処理機の内部機構内に残留している紙幣のみを検出することができ、したがって、確実にかつ速やかに、紙幣処理機の内部機構内に残留しているすべての紙幣を取り除くことが可能になるから、紙幣処理機の処理効率を大幅に向上させることができる。
【００１５】
本発明のさらに好ましい実施態様においては、前記紙幣取引口と、紙幣処理機の内部機構とが、前記通信手段から発信される電波を遮断可能な材料によって形成されたシャッタによって遮断されている。
【００１６】
本発明の別の好ましい実施態様においては、紙幣処理機は、さらに、紙幣を投入可能な紙幣入金口を備え、前記紙幣入金口と、紙幣処理機の内部機構とが、前記通信手段から発信される電波を遮断可能な部材によって遮断されている。
【００１７】
本発明の別の好ましい実施態様によれば、紙幣入金口と、紙幣処理機の内部機構とが、通信手段から発信される電波を遮断可能な部材によって遮断されているから、紙幣処理機の作動が停止したときに、紙幣処理機の内部機構内に残留している紙幣のみを検出することができ、したがって、確実にかつ速やかに、紙幣処理機の内部機構内に残留しているすべての紙幣を取り除くことが可能になるから、紙幣処理機の処理効率を大幅に向上させることができる。
【００１８】
本発明のさらに好ましい実施態様においては、前記紙幣入金口と、紙幣処理機の内部機構とが、前記通信手段から発信される電波を遮断可能な材料によって形成されたシャッタによって遮断されている。
【００１９】
本発明のさらに好ましい実施態様においては、紙幣処理機は、さらに、紙幣を出金可能な紙幣出金口を備え、前記紙幣出金口と、紙幣処理機の内部機構とが、前記通信手段から発信される電波を遮断可能な部材によって遮断されている。
【００２０】
本発明のさらに好ましい実施態様によれば、紙幣出金口と、紙幣処理機の内部機構とが、通信手段から発信される電波を遮断可能な部材によって遮断されているから、紙幣処理機の作動が停止したときに、紙幣処理機の内部機構内に残留している紙幣のみを検出することができ、したがって、確実にかつ速やかに、紙幣処理機の内部機構内に残留しているすべての紙幣を取り除くことが可能になるから、紙幣処理機の処理効率を大幅に向上させることができる。
【００２１】
本発明のさらに好ましい実施態様においては、前記紙幣出金口と、紙幣処理機の内部機構とが、前記通信手段から発信される電波を遮断可能な材料によって形成されたシャッタによって遮断されている。
【００２２】
本発明のさらに好ましい実施態様においては、紙幣処理機は、さらに、紙幣を返却可能な紙幣返却口を備え、前記紙幣返却口と、紙幣処理機の内部機構とが、前記通信手段から発信される電波を遮断可能な部材によって遮断されている。
【００２３】
本発明のさらに好ましい実施態様によれば、紙幣返却口と、紙幣処理機の内部機構とが、通信手段から発信される電波を遮断可能な部材によって遮断されているから、紙幣処理機の作動が停止したときに、紙幣処理機の内部機構内に残留している紙幣のみを検出することができ、したがって、確実にかつ速やかに、紙幣処理機の内部機構内に残留しているすべての紙幣を取り除くことが可能になるから、紙幣処理機の処理効率を大幅に向上させることができる。
【００２４】
本発明のさらに好ましい実施態様においては、前記紙幣返却口と、内部機構とが、前記通信手段から発信される電波を遮断可能な材料によって形成されたシャッタによって遮断されている。
【００２５】
本発明のさらに好ましい実施態様においては、紙幣処理機は、さらに、紙幣を金種別に収納する複数の紙幣収納ボックスを備え、前記複数の紙幣収納ボックスが、前記通信手段から発信される電波を遮断可能な材料によって形成されている。
【００２６】
本発明のさらに好ましい実施態様によれば、紙幣を金種別に収納する複数の紙幣収納ボックスが、通信手段から発信される電波を遮断可能な材料によって形成されているから、紙幣処理機の作動が停止したときに、紙幣処理機の紙幣搬送路内に残留している紙幣のみを検出することができ、したがって、確実にかつ速やかに、紙幣処理機の紙幣搬送路内に残留しているすべての紙幣を取り除くことが可能になるから、紙幣処理機の処理効率を大幅に向上させることができる。
【００２７】
本発明のさらに好ましい実施態様においては、紙幣処理機は、さらに、紙幣を一時的に貯留する紙幣貯留ボックスを備え、前記紙幣貯留ボックスが、前記通信手段から発信される電波を遮断可能な材料によって形成されている。
【００２８】
本発明のさらに好ましい実施態様によれば、紙幣を一時的に貯留する紙幣貯留ボックスが、通信手段から発信される電波を遮断可能な材料によって形成されているから、紙幣処理機の作動が停止したときに、紙幣処理機の紙幣搬送路内に残留している紙幣のみを検出することができ、したがって、確実にかつ速やかに、紙幣処理機の紙幣搬送路内に残留しているすべての紙幣を取り除くことが可能になるから、紙幣処理機の処理効率を大幅に向上させることができる。
【００２９】
本発明のさらに好ましい実施態様においては、紙幣処理機は、さらに、回収すべき紙幣を収容する紙幣回収ボックスを備え、前記紙幣回収ボックスが、前記通信手段から発信される電波を遮断可能な材料によって形成されている。
【００３０】
本発明のさらに好ましい実施態様によれば、回収すべき紙幣を収容する紙幣回収ボックスが、通信手段から発信される電波を遮断可能な材料によって形成されているから、紙幣処理機の作動が停止したときに、紙幣処理機の紙幣搬送路内に残留している紙幣のみを検出することができ、したがって、確実にかつ速やかに、紙幣処理機の紙幣搬送路内に残留しているすべての紙幣を取り除くことが可能になるから、紙幣処理機の処理効率を大幅に向上させることができる。
【００３１】
本発明の別の好ましい実施態様においては、紙幣処理機は、さらに、紙幣を集積する紙幣集積機構と、前記紙幣集積機構によって集積された紙幣の略中央部に、結束テープを巻回して、紙幣束を生成する帯封機構を備え、前記紙幣集積機構および前記帯封機構が、前記通信手段から発信される電波を遮断可能な材料によって覆われている。
【００３２】
本発明のさらに好ましい実施態様によれば、紙幣を集積する紙幣集積機構および紙幣集積機構によって集積された紙幣の略中央部に、結束テープを巻回して、紙幣束を生成する帯封機構が、通信手段から発信される電波を遮断可能な材料によって形成されているから、紙幣処理機の作動が停止したときに、紙幣処理機の紙幣搬送路内に残留している紙幣のみを検出することができ、したがって、確実にかつ速やかに、紙幣処理機の紙幣搬送路内に残留しているすべての紙幣を取り除くことが可能になるから、紙幣処理機の処理効率を大幅に向上させることができる。
【００３３】
本発明の好ましい実施態様においては、紙幣処理機は、さらに、前記通信手段の紙幣に形成されたインレット中のＩＣチップとの通信結果に基づいて、紙幣の有無を判定する制御手段と、前記制御手段の判定結果を報知する報知手段を備えている。
【００３４】
本発明のさらに好ましい実施態様においては、前記制御手段が、紙幣処理機の作動が停止したときに、前記通信手段の紙幣に形成されたインレット中のＩＣチップとの通信結果に基づいて、紙幣の有無を判定し、前記報知手段に判定結果を報知させるように構成されている。
【００３５】
本発明のさらに好ましい実施態様によれば、紙幣処理機は、さらに、前記通信手段の紙幣に形成されたインレット中のＩＣチップとの通信結果に基づいて、紙幣の有無を判定する制御手段と、制御手段の判定結果を報知する報知手段を備え、制御手段が、紙幣処理機の作動が停止したときに、通信手段の紙幣に形成されたインレット中のＩＣチップとの通信結果に基づいて、紙幣の有無を判定し、前記報知手段に判定結果を報知させるように構成されているから、硬貨のジャミングなどが発生して、紙幣処理機の作動が停止したときに、硬貨の搬送路に位置している硬貨を確実に回収して、紙幣処理機の作動を再開することが可能になる。
【００３６】
本発明のさらに好ましい実施態様においては、紙幣処理機は、さらに、指示信号を入力する入力手段を備え、前記制御手段が、紙幣処理機の作動停止後に、前記入力手段を通じて、リスタート信号が入力されたときに、前記通信手段の紙幣に形成されたインレット中のＩＣチップとの通信結果に基づいて、紙幣の有無を判定し、前記報知手段に判定結果を報知させるように構成されている。
【００３７】
本発明のさらに好ましい実施態様によれば、紙幣処理機は、さらに、指示信号を入力する入力手段を備え、制御手段が、紙幣処理機の作動停止後に、入力手段を通じて、リスタート信号が入力されたときに、通信手段の紙幣に形成されたインレット中のＩＣチップとの通信結果に基づいて、紙幣の有無を判定し、報知手段に判定結果を報知させるように構成されているから、紙幣のジャミングなどが発生して、紙幣処理機の作動が停止し、紙幣の搬送路に位置している紙幣を回収して、紙幣処理機の作動を再開したが、紙幣の搬送路に、紙幣が未だ残存している場合に、紙幣の搬送路に残存している紙幣を確実に回収して、紙幣処理機の作動を再開することが可能になる。
【００３８】
本発明のさらに好ましい実施態様においては、前記報知手段が、ディスプレイによって構成されている。
【００３９】
本発明の別の好ましい実施態様においては、前記報知手段が、アラームを発するアラーム発生器によって構成されている。
【００４０】
本発明のさらに好ましい実施態様においては、前記報知手段が、ディスプレイおよびアラームを発するアラーム発生器によって構成されている。
【発明の効果】
【００４１】
本発明によれば、本発明は、紙幣を受け入れて、処理する紙幣処理機であって、紙幣処理機の作動停止時に、紙幣処理機内に残留している紙幣を確実に検出して、速やかに取り除くことができ、紙幣の処理効率を大幅に向上させることができる紙幣処理機を提供することが可能になる。
【発明を実施するための最良の形態】
【００４２】
以下、添付図面に基づいて、本発明の好ましい実施態様につき、詳細に説明を加える。
【００４３】
図１は、本発明の好ましい実施態様にかかる紙幣処理機の略縦断面図である。
【００４４】
本実施態様にかかる紙幣処理機は、銀行などの金融機関内で使用される紙幣入出金機として構成されており、処理すべき紙幣には、紙幣の発行権限を有する機関によって、ＩＣチップとアンテナを内蔵したインレットが形成され、インレット中のＩＣチップに、紙幣のＩＤデータ、紙幣の金種データなどのＲＦＩＤデータが、特定のフォーマットで、記録されている。ここに、紙幣に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００４５】
インレットを紙幣に形成する方法としては、紙幣用の紙を抄く際に、紙幣用の紙にインレットを埋め込む方法、紙幣にインレットを貼り付ける方法、紙幣にインレットを印刷する方法などが挙げられるが、とくに限定されるものではない。
【００４６】
図１に示されるように、本実施態様にかかる紙幣処理機は、金属によって形成されたハウジング１０を備え、ハウジング１０の上部には、紙幣が投入される紙幣入金口１１、紙幣を出金する紙幣出金口１２および投入された紙幣で、受け入れ不能と判別された紙幣を返却する紙幣返却口１３が設けられている。
【００４７】
図１に示されるように、紙幣入金口１１と紙幣処理機の内部機構との間には、開閉可能なシャッタ１１ａが設けられ、紙幣入金口１１内には、紙幣の有無を検出する光学センサ１１ｂが設けられている。また、紙幣出金口１２と紙幣処理機の内部機構との間には、開閉可能なシャッタ１２ａが設けられ、紙幣出金口１２内には、紙幣の有無を検出する光学センサ１２ｂが設けられている。さらに、紙幣返却口１３と紙幣処理機の内部機構との間にも、開閉可能なシャッタ１３ａが設けられ、紙幣返却口１３内には、紙幣の有無を検出する光学センサ１３ｂが設けられている。
【００４８】
図１に示されるように、本実施態様にかかる紙幣処理機は、さらに、搬送路１４を介して、紙幣入金口１１に接続され、紙幣繰り出し手段（図示せず）により、紙幣入金口１１から、１枚ずつ、繰り出された紙幣を判別する紙幣判別部１５を備えている。
【００４９】
紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１５のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている真正でかつ現に流通している紙幣が金種別に計数されるように構成されている。
【００５０】
このように、紙幣判別部１５は、ＲＦＩＤリーダーを備えているため、ＲＦＩＤリーダーが紙幣判別部１５外に存在する紙幣のＲＦＩＤデータを読み取ることがないように、ＲＦＩＤリーダーから発信される周波数の電波を遮蔽する性質を有する材料によって形成されたケーシング１５ｃによって覆われている。
【００５１】
図１に示されるように、紙幣判別部１５の下流側には、搬送路１６が接続されており、搬送路１６から、紙幣返却口１３に接続された分岐搬送路１７が分岐し、分岐搬送路１７の分岐部には、紙幣を、搬送路１６および分岐搬送路１７のいずれかに選択的に導くゲート部材１８が設けられている。
【００５２】
紙幣判別部１５のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１６、ゲート部材１８および分岐搬送路１７を介して、紙幣返却口１３に送られて、オペレータに返却される。
【００５３】
一方、分岐搬送路１７の分岐部の下流側の搬送路１６からは、分岐搬送路１９、分岐搬送路２０、分岐搬送路２１および分岐搬送路２２が、この順に分岐しており、分岐搬送路１９の分岐部には、紙幣を搬送路１６および分岐搬送路１９のいずれかに選択的に導くゲート部材２３が設けられ、分岐搬送路２０の分岐部には、紙幣を搬送路１６および分岐搬送路２０のいずれかに選択的に導くゲート部材２４が設けられている。また、分岐搬送路２１の分岐部には、紙幣を搬送路１６および分岐搬送路２１のいずれかに選択的に導くゲート部材２５が設けられ、分岐搬送路２２の分岐部には、紙幣を搬送路１６および分岐搬送路２２のいずれかに選択的に導くゲート部材２６が設けられている。
【００５４】
図１に示されるように、搬送路１６の下方には、紙幣一時貯留ユニット２７が設けられ、分岐搬送路１９、分岐搬送路２０、分岐搬送路２１および分岐搬送路２２は、紙幣一時貯留ユニット２７内に延び、搬送路１６は、分岐搬送路２２の分岐部の下流側において、紙幣一時貯留ユニット２７内に延びている。紙幣一時貯留ユニット２７は、通常は、ロック部材（図示せず）によって、ロックされて、紙幣処理機に固定され、ロック部材によるロックが解除されたときは、スライドさせて、紙幣処理機から取り出し可能に構成されている。紙幣一時貯留ユニット２７は、紙幣処理機に入金されるべき紙幣を、金種別に、一時的に貯留するものである。
【００５５】
本実施態様においては、紙幣処理機は、４種類の金種の紙幣を入出金可能で、かつ、汚損レベルが所定レベルを超えた汚損紙幣を回収可能に構成されており、したがって、紙幣一時貯留ユニット２７は、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄを備えている。
【００５６】
図１に示されるように、分岐搬送路１９は、汚損紙幣一時貯留ボックス２８に接続されている。一方、分岐搬送路２０、分岐搬送路２１および分岐搬送路２２は、第一の紙幣一時貯留ボックス２７ａ、第二の紙幣一時貯留ボックス２７ｂおよび第三の紙幣一時貯留ボックス２７ｃに接続され、搬送路１６は、分岐搬送路２２の分岐部の下流側で、第四の紙幣一時貯留ボックス２７ｄに接続されている。
【００５７】
したがって、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られているが、汚損のレベルが所定レベルを超えていると判別された汚損紙幣は、搬送路１６、ゲート部材１８、搬送路１６、ゲート部材２３および分岐搬送路１９を介して、汚損紙幣一時貯留ボックス２８内に送られて、一時的に貯留される。
【００５８】
また、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られていると判別された紙幣のうち、第一の金種の紙幣は、搬送路１６、ゲート部材１８、搬送路１６、ゲート部材２３、搬送路１６、ゲート部材２４および分岐搬送路２０を介して、第一の紙幣一時貯留ボックス２７ａ内に送られて、一時的に貯留され、第二の金種の紙幣は、搬送路１６、ゲート部材１８、搬送路１６、ゲート部材２３、搬送路１６、ゲート部材２４、搬送路１６、ゲート部材２５および分岐搬送路２１を介して、第二の紙幣一時貯留ボックス２７ｂ内に送られて、一時的に貯留される。
【００５９】
一方、真正でかつ現に流通している紙幣で、１枚ずつ、その短辺が紙幣の搬送方向と平行になるように送られていると判別された紙幣のうち、第三の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および分岐搬送路２２を介して、第三の紙幣一時貯留ボックス２７ｃ内に送られて、一時的に貯留され、第四の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および搬送路１６を介して、第四の紙幣一時貯留ボックス２７ｄ内に送られて、一時的に貯留される。
【００６０】
図１に示されるように、ゲート部材２５と紙幣判別部１５の間には、紙幣に形成されたインレット中のＩＣチップに記録された紙幣のＩＤデータ、紙幣の金種データなどのＲＦＩＤデータを読み取るＲＦＩＤリーダー２９が設けられている。ここに、汚損紙幣一時貯留ボックス２８、第一の紙幣一時貯留ボックス２７ａ、第二の紙幣一時貯留ボックス２７ｂおよび第三の紙幣一時貯留ボックス２７ｃおよび第四の紙幣一時貯留ボックス２７ｄは、いずれも、ＲＦＩＤリーダー２９から発信される周波数の電波を遮蔽する性質を有する材料によって形成されている。さらに、紙幣判別部１５のケーシング１５ｃは、紙幣判別部１５に設けられたＲＦＩＤリーダーから発信される周波数の電波を遮蔽するとともに、ＲＦＩＤリーダー２９から発信される周波数の電波を遮蔽する性質有する材料によって形成されている。
【００６１】
図１に示されるように、紙幣一時貯留ユニット２７の下方には、紙幣処理機に入金された紙幣を、金種別に収納する紙幣収納ユニット３０が設けられている。
【００６２】
紙幣収納ユニット３０は、通常は、ロック部材（図示せず）によって、ロックされて、紙幣処理機に固定され、ロック部材によるロックが解除されたときは、スライドさせて、紙幣処理機から取り出し可能に構成されている。
【００６３】
図１に示されるように、紙幣収納ユニット３０は、汚損紙幣一時貯留ボックス２８に一時的に貯留された汚損紙幣を収納する汚損紙幣収納ボックス３１と、第一の紙幣一時貯留ボックス２７ａ内に一時的に貯留された第一の金種の紙幣を収納する第一の紙幣収納ボックス３０ａと、第二の紙幣一時貯留ボックス２７ｂ内に一時的に貯留された第二の金種の紙幣を収納する第二の紙幣収納ボックス３０ｂと、第三の紙幣一時貯留ボックス２７ｃ内に一時的に貯留された第三の金種の紙幣を収納する第三の紙幣収納ボックス３０ｃと、第四の紙幣一時貯留ボックス２７ｄ内に一時的に貯留された第四の金種の紙幣を収納する第四の紙幣収納ボックス３０ｄとを備えている。
【００６４】
汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄは、いずれも、ＲＦＩＤリーダー２９から発信される周波数の電波を遮蔽する性質を有する材料によって形成されている。
【００６５】
図１には図示されていないが、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄの底部は、シャッタによって構成され、シャッタを開放することによって、汚損紙幣一時貯留ボックス２８内に一時的に貯留された汚損紙幣、第一の紙幣一時貯留ボックス２７ａ内に一時的に貯留された第一の金種の紙幣、第二の紙幣一時貯留ボックス２７ｂ内に一時的に貯留された第二の金種の紙幣、第三の紙幣一時貯留ボックス２７ｃ内に一時的に貯留された第三の金種の紙幣および第四の紙幣一時貯留ボックス２７ｄ内に一時的に貯留された第四の金種の紙幣が、それぞれ、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄ内に送られて、収納されるように構成されている。
【００６６】
図１に示されるように、第一の紙幣収納ボックス３０ａの内壁には、第一の紙幣収納ボックス３０ａ内に送られた紙幣を係止可能な一対の係止爪３２ａ、３２ａが、第一の紙幣収納ボックス３０ａの内壁面と滑らかに連なる退避位置と、第一の紙幣収納ボックス３０ａの内壁面から突出した突出位置との間で、支点まわりに揺動可能で、かつ、昇降可能に設けられ、第二の紙幣収納ボックス３０ｂの内壁には、第二の紙幣収納ボックス３０ｂ内に送られた紙幣を係止可能な一対の係止爪３２ｂ、３２ｂが、第二の紙幣収納ボックス３０ｂの内壁面と滑らかに連なる退避位置と、第二の紙幣収納ボックス３０ｂの内壁面から突出した突出位置との間で、支点まわりに揺動可能で、かつ、昇降可能に設けられている。また、第三の紙幣収納ボックス３０ｃの内壁には、第三の紙幣収納ボックス３０ｃ内に送られた紙幣を係止可能な一対の係止爪３２ｃ、３２ｃが、第三の紙幣収納ボックス３０ｃの内壁面と滑らかに連なる退避位置と、第三の紙幣収納ボックス３０ｃの内壁面から突出した突出位置との間で、支点まわりに揺動可能で、かつ、昇降可能に設けられ、第四の紙幣収納ボックス３０ｄの内壁には、第四の紙幣収納ボックス３０ｄ内に送られた紙幣を係止可能な一対の係止爪３２ｄ、３２ｄが、第四の紙幣収納ボックス３０ｄの内壁面と滑らかに連なる退避位置と、第四の紙幣収納ボックス３０ｄの内壁面から突出した突出位置との間で、支点まわりに揺動可能で、かつ、昇降可能に設けられている。
【００６７】
図１に示されるように、第一の紙幣収納ボックス３０ａの下部には、第一の紙幣収納ボックス３０ａ内に収納された紙幣を、出金すべき紙幣として、１枚ずつ、出金紙幣搬送路３５内に繰り出す第一の紙幣繰り出し部３３ａが設けられ、第二の紙幣収納ボックス３０ｂの下部には、第二の紙幣収納ボックス３０ｂ内に収納された紙幣を、出金すべき紙幣として、１枚ずつ、出金紙幣搬送路３５内に繰り出す第二の紙幣繰り出し部３３ｂが設けられている。さらに、第三の紙幣収納ボックス３０ｃの下部には、第三の紙幣収納ボックス３０ｃ内に収納された紙幣を、出金すべき紙幣として、１枚ずつ、出金紙幣搬送路３５内に繰り出す第三の紙幣繰り出し部３３ｃが設けられ、第四の紙幣収納ボックス３０ｄの下部には、第四の紙幣収納ボックス３０ｄ内に収納された紙幣を、出金すべき紙幣として、１枚ずつ、出金紙幣搬送路３５内に繰り出す第四の紙幣繰り出し部３３ｄが設けられている。
【００６８】
ここに、本実施態様においては、汚損紙幣収納ボックス３１内に収納された汚損紙幣は回収され、出金には利用されないため、汚損紙幣収納ボックス３１内に収納された汚損紙幣を、出金紙幣搬送路３５内に繰り出すための紙幣繰り出し部は設けられていない。
【００６９】
図１に示されるように、出金紙幣搬送路３５には、第一の紙幣収納ボックス３０ａ、第二の紙幣収納ボックス３０ｂ、第三の紙幣収納ボックス３０ｃあるいは第四の紙幣収納ボックス３０ｄから繰り出された出金すべき紙幣を判別するとともに、出金すべき紙幣を金種別に計数する出金紙幣判別部４０が設けられている。
【００７０】
出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット（図示せず）と、出金すべき紙幣に形成されたインレット中のＩＣチップに記録された紙幣のＩＤデータ、紙幣の金種データなどのＲＦＩＤデータを読み取るＲＦＩＤリーダー（図示せず）とを備えている。
【００７１】
このように、出金紙幣判別部４０は、ＲＦＩＤリーダーを備えているため、ＲＦＩＤリーダーが出金紙幣判別部４０外に存在する紙幣のＲＦＩＤデータを読み取ることがないように、ＲＦＩＤリーダーから発信される周波数の電波を遮蔽する性質を有し、かつ、ＲＦＩＤリーダー２９から発信される周波数の電波を遮蔽する性質を有する材料によって形成されたケーシング４０ｃによって覆われている。
【００７２】
図１に示されるように、出金紙幣判別部４０の下流側において、出金紙幣搬送路３５から、分岐搬送路４１が分岐し、分岐搬送路４１は、紙幣回収ボックス４３に接続されている。分岐搬送路４１の分岐部には、出金すべき紙幣を出金紙幣搬送路３５および分岐搬送路４１のいずれかに選択的に導くゲート部材４２が設けられている。
【００７３】
本実施態様においては、出金紙幣判別部４０によって、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、出金紙幣搬送路３５、ゲート部材４２および分岐搬送路４１を介して、紙幣回収ボックス４３内に送られて、回収されるように構成されている。
【００７４】
紙幣回収ボックス４３は、ＲＦＩＤリーダー２９から発信される周波数の電波を遮蔽する性質を有する材料によって形成されている。
【００７５】
また、図１に示されるように、分岐搬送路４１の分岐部の下流側において、出金紙幣搬送路３５から分岐し、分岐搬送路１７の分岐部の下流側で、かつ、分岐搬送路１９の分岐部の上流側の搬送路１６に接続される分岐搬送路４５が設けられており、分岐搬送路４５の分岐部には、紙幣を出金紙幣搬送路３５および分岐搬送路４５のいずれか一方に選択的に導くゲート部材４６が設けられている。
【００７６】
真正でかつ現に流通している紙幣が、１枚ずつ、その短辺が紙幣の搬送方向と平行になるように送られている場合には、その紙幣は、出金紙幣判別部４０から、出金紙幣搬送路３５、ゲート部材４２、出金紙幣搬送路３５、ゲート部材４６および出金紙幣搬送路３５を介して、紙幣出金口１２に送られて、出金される。
【００７７】
図１に示されるように、分岐搬送路１７の分岐部の直下流側の搬送路１６の近傍に、紙幣を検出する第一の紙幣センサ４９ａが設けられ、ゲート部材２３の直上流側の搬送路１６の近傍に、紙幣を検出する第二の紙幣センサ４９ｂが設けられている。さらに、第一の紙幣繰り出し部３３ａの直下流側の出金紙幣搬送路３５の近傍に、紙幣を検出する第三の紙幣センサ４９ｃが設けられ、ゲート部材４６の直上流側の出金紙幣搬送路３５の近傍に、紙幣を検出する第四の紙幣センサ４９ｄが設けられている。
【００７８】
図２は、図１に示された紙幣処理機の制御系、検出系、入力系、および表示系および駆動系を示すブロックダイアグラムであり、図３は、図１に示された紙幣処理機の駆動系の詳細を示すブロックダイアグラムである。
【００７９】
図２に示されるように、本実施態様にかかる紙幣処理機の制御系は、紙幣処理機の動作を制御するＣＰＵ５０と、紙幣入出金機の制御プログラムなどが格納されたＲＯＭ５１と、各種データを記憶するＲＡＭ５２を備えている。
【００８０】
図２に示されるように、本実施態様にかかる紙幣処理機の検出系は、紙幣判別部１５および出金紙幣判別部４０を備えている。紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備えている。また、出金紙幣判別部４０も、紙幣に向けて、光を発する光源と、光源から発せられ、紙幣によって反射された光を検出する反射光センサと、光源から発せられ、紙幣を透過した光を検出するセンサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、出金すべき紙幣に形成されたインレット中のＩＣチップに記録された紙幣のＩＤデータ、紙幣の金種データなどのＲＦＩＤデータを読み取るＲＦＩＤリーダー４０ｂとを備えている。
【００８１】
図２に示されるように、紙幣処理機の検出系は、さらに、紙幣入金口１１内に設けられた光学センサ１１ｂと、紙幣出金口１２内に設けられた光学センサ１２ｂと、紙幣返却口１３内に設けられた光学センサ１３ｂと、ゲート部材２５と紙幣判別部１５の間に設けられたＲＦＩＤリーダー２９と、第一の紙幣センサ４９ａと、第二の紙幣センサ４９ｂと、第三の紙幣センサ４９ｃと、第四の紙幣センサ４９ｄとを備えている。
【００８２】
図２に示されるように、本実施態様にかかる紙幣処理機の入力系は、オペレータによって操作され、種々の指示信号が入力されるキーボード７５を備えており、紙幣入出金機の表示系は、紙幣の計数結果などを表示するディスプレイ７７およびアラームを発するアラーム発生器７８を備えている。
【００８３】
図３に示されるように、本実施態様にかかる紙幣処理機の駆動系５４は、搬送路１４、搬送路１６、分岐搬送路１７、分岐搬送路１９、分岐搬送路２０、分岐搬送路２１、分岐搬送路２２、出金紙幣搬送路３５、分岐搬送路４１ならびに分岐搬送路４５に設けられた搬送ローラ（図示せず）を駆動するローラ駆動手段５５と、ゲート部材１８を駆動するソレノイド５６と、ゲート部材２３を駆動するソレノイド５７と、ゲート部材２４を選択的に駆動するソレノイド５８と、ゲート部材２５を駆動するソレノイド５９と、ゲート部材２６を駆動するソレノイド６０と、ゲート部材４２を駆動するソレノイド６１と、ゲート部材４６を駆動するソレノイド６２と、第一の紙幣収納ボックス３０ａに設けられた一対の係止爪３２ａ、３２ａを突出位置に揺動させるソレノイド手段６４ａと、第二の紙幣収納ボックス３０ｂに設けられた一対の係止爪３２ｂ、３２ｂを突出位置に揺動させるソレノイド手段６４ｂと、第三の紙幣収納ボックス３０ｃに設けられた一対の係止爪３２ｃ、３２ｃを突出位置に揺動させるソレノイド手段６４ｃと、第四の紙幣収納ボックス３０ｄに設けられた一対の係止爪３２ｄ、３２ｄを突出位置に揺動させるソレノイド手段６４ｄと、汚損紙幣一時貯留ボックス２８の底部を構成するシャッタを駆動するソレノイド６５と、第一の紙幣一時貯留ボックス２７ａの底部を構成するシャッタを駆動するソレノイド６６と、第二の紙幣一時貯留ボックス２７ｂの底部を構成するシャッタを駆動するソレノイド６７と、第三の紙幣一時貯留ボックス２７ｃの底部を構成するシャッタを駆動するソレノイド６８と、第四の紙幣一時貯留ボックス２７ｄの底部を構成するシャッタを駆動するソレノイド６９と、第一の紙幣収納ボックス３０ａに設けられた一対の係止爪３２ａ、３２ａを昇降させるモータ７０ａと、第二の紙幣収納ボックス３０ｂに設けられた一対の係止爪３２ｂ、３２ｂを昇降させるモータ７０ｂと、第三の紙幣収納ボックス３０ｃに設けられた一対の係止爪３２ｃ、３２ｃを昇降させるモータ７０ｃと、第四の紙幣収納ボックス３０ｄに設けられた一対の係止爪３２ｄ、３２ｄを昇降させるモータ７０ｄと、紙幣入金口１１に設けられたシャッタ１１ａを駆動するソレノイド７１と、紙幣出金口１２に設けられたシャッタ１２ａを駆動するソレノイド７２と、紙幣返却口１３に設けられたシャッタ１３ａを駆動するソレノイド７３と、紙幣繰り出し手段７４と、第一の紙幣収納ボックス３０ａの下部に設けられ、第一の紙幣収納ボックス３０ａ内に収納された紙幣を、出金すべき紙幣として、１枚ずつ、出金紙幣搬送路３５内に繰り出す第一の紙幣繰り出し部３３ａと、第二の紙幣収納ボックス３０ｂの下部に設けられ、第二の紙幣収納ボックス３０ｂ内に収納された紙幣を、出金すべき紙幣として、１枚ずつ、出金紙幣搬送路３５内に繰り出す第二の紙幣繰り出し部３３ｂと、第三の紙幣収納ボックス３０ｃの下部に設けられ、第三の紙幣収納ボックス３０ｃ内に収納された紙幣を、出金すべき紙幣として、１枚ずつ、出金紙幣搬送路３５内に繰り出す第三の紙幣繰り出し部３３ｃと、第四の紙幣収納ボックス３０ｄの下部に設けられ、第四の紙幣収納ボックス３０ｄ内に収納された紙幣を、出金すべき紙幣として、１枚ずつ、出金紙幣搬送路３５内に繰り出す第四の紙幣繰り出し部３３ｄとを備えている。
【００８４】
以上のように構成された本実施態様にかかる紙幣処理機は、以下のようにして、紙幣入金口１１に投入された紙幣を入金し、第一の紙幣収納ボックス３０ａ、第二の紙幣収納ボックス３０ｂ、第三の紙幣収納ボックス３０ｃあるいは第四の紙幣収納ボックス３０ｄに収納された紙幣を、紙幣出金口１２に出金する。
【００８５】
まず、オペレータによって、紙幣が紙幣入金口１１にセットされ、入金信号がキーボード７５に入力されると、紙幣が紙幣入金口１１内に設けられた光学センサ１１ｂによって、紙幣が検出され、紙幣検出信号がＣＰＵ５０に出力される。
【００８６】
キーボード７５から入金信号が入力され、光学センサ１１ｂから紙幣検出信号が入力されると、ＣＰＵ５０は、ソレノイド７１に駆動信号を出力して、紙幣入金口１１に設けられたシャッタ１１ａを開放させるとともに、紙幣繰り出し手段７４に駆動信号を出力する。同時に、ＣＰＵ５０は、ローラ駆動手段５５に駆動信号を出力して、搬送路１４、搬送路１６、分岐搬送路１７、分岐搬送路１９、分岐搬送路２０、分岐搬送路２１、分岐搬送路２２、出金紙幣搬送路３５、分岐搬送路４１ならびに分岐搬送路４５に設けられた搬送ローラ（図示せず）を駆動させる。
【００８７】
その結果、紙幣は、紙幣繰り出し手段７４によって、１枚づつ、紙幣入金口１１から搬送路１４内に繰り出される。
【００８８】
紙幣入金口１１にセットされた紙幣がすべて、搬送路１４内に取り込まれると、ＣＰＵ５０は、ソレノイド７１に駆動停止信号を出力して、紙幣入金口１１のシャッタ１１ａを閉じる。
【００８９】
紙幣が、搬送路１４内に繰り出されると、ＲＦＩＤリーダー２９によって、紙幣に形成されたインレット中のＩＣチップに記録された紙幣のＩＤデータ、紙幣の金種データなどのＲＦＩＤデータが読み取られ、読み取られた紙幣のＲＦＩＤデータが、ＣＰＵ５０に出力される。ＣＰＵ５０は、ＲＦＩＤリーダー２９から、紙幣のＲＦＩＤデータを受けると、ＲＡＭ５２の所定のメモリ領域に格納する。
【００９０】
ここに、ＲＦＩＤリーダー２９は、所定の周波数、たとえば、マイクロ波帯の電波を発信し、紙幣に形成されたインレットのアンテナに受信させて、インレット中のＩＣチップに書き込まれたＲＦＩＤデータを読み取るように構成されているから、ＲＦＩＤリーダー２９から発信される周波数の電波を遮蔽する性質を有する材料によって形成されている紙幣一時貯留ユニット２７の汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ、紙幣収納ユニット３０の汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄならびに紙幣回収ボックス４３内に収容されている紙幣と、金属製のシャッタ１１ｂ、シャッタ１２ｂおよびシャッタ１３ｂによって、紙幣処理機の内部と遮断されている紙幣入金口１１、紙幣出金口１２および紙幣返却口１３内に存在している紙幣以外の紙幣、すなわち、紙幣処理機内の搬送路に存在しているすべての紙幣のＲＦＩＤデータが、ＲＦＩＤリーダー２９によって読み取られ、ＲＡＭ５１の所定のメモリ領域に格納される。
【００９１】
搬送路１４内に繰り出された紙幣は、紙幣判別部１５に送られる。
【００９２】
紙幣判別部１５においては、センサユニット１５ａによって、紙幣の光学データおよび磁気データが読み取られるとともに、ＲＦＩＤリーダー１５ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【００９３】
ＣＰＵ５０は、紙幣判別部１５のＲＦＩＤリーダー１５ｂから入力されたＲＦＩＤデータをＲＡＭ５２に書き込むとともに、ＲＡＭ５２に書き込まれたＲＦＩＤデータに基づいて、紙幣が、現に流通している真正な紙幣か否かおよび紙幣の金種を暫定的に判別する。
【００９４】
ここに、紙幣のＩＤデータ、紙幣の金種データなどのＲＦＩＤデータは、紙幣の発行権限を有する機関によって、特定のフォーマットで、インレット中のＩＣチップに記録されているから、ＣＰＵ５０は、紙幣判別部１５のＲＦＩＤリーダー１５ｂから入力されたＲＦＩＤデータに基づいて、紙幣が、現に流通している真正な紙幣か否かを判別し、その金種を判別することができる。
【００９５】
その結果、ＲＦＩＤデータに基づいて、紙幣判別部１５によって検出された紙幣が、現に流通している真正な紙幣ではないと判別したときは、ＣＰＵ５０は、判別結果をＲＡＭ５２に書き込み、これに対して、ＲＦＩＤデータに基づいて、紙幣が、現に流通している真正な紙幣と判別したときは、ＣＰＵ５０は、ＲＦＩＤデータに基づいて、紙幣の金種を暫定的に決定し、さらに、暫定的に決定した紙幣の金種に対応する金種の紙幣の基準光学データおよび基準磁気データをＲＯＭ５１から読み出す。
【００９６】
次いで、ＣＰＵ５０は、紙幣判別部１５のセンサユニット１５ａから入力された紙幣の光学データおよび磁気データを、ＲＯＭ５１から読み出した紙幣の基準光学データおよび基準磁気データと比較し、紙幣の金種および汚損レベル、紙幣が１枚ずつ送られているか否かならびに紙幣の短辺が紙幣の搬送方向と平行になるように送られているか否かを判別する。
【００９７】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ５０は、紙幣判別部１５によって検出された紙幣は、ＲＦＩＤデータに基づいて暫定的に決定した金種の紙幣であると最終的に判別する。
【００９８】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、その紙幣は、現に流通している真正な紙幣であるが、紙幣の短辺が紙幣の搬送方向と平行になるように送られていないと判別する。
【００９９】
一方、光学センサ手段の反射光センサが検出した紙幣の表面パターンデータと、暫定的に決定した金種の紙幣の基準表面パターンデータとを比較した結果、両者の差が第一のしきい値以上を超えているが、第二のしきい値以下であると判定したときは、ＣＰＵ５０は、紙幣判別部１５によって検出された紙幣は、ＲＦＩＤデータに基づいて暫定的に決定した金種の紙幣であるが、汚損レベルが所定レベルを超えた汚損紙幣であると判別する。
【０１００】
これに対して、光学センサ手段の透過光センサが検出した紙幣の透過光データと、暫定的に決定した金種の紙幣の基準透過光データとを比較した結果、両者が実質的に一致しているときは、その紙幣は、１枚ずつ送られていると判別し、両者が実質的に一致していないときは、２枚以上の紙幣が、全部あるいはその一部が重なり合って、送られていると判別する。
【０１０１】
その結果、紙幣判別部１５によって検出された紙幣が、偽造紙幣もしくは外国紙幣と判別した場合、２枚以上の紙幣の全部あるいは一部が重なり合って、送られていると判別した場合あるいは紙幣の短辺が紙幣の搬送方向と角度をなして送られていると判別した場合には、ＣＰＵ５０は、判別結果をＲＡＭ５２に書き込むとともに、ゲート部材１８を駆動するソレノイド５６に駆動信号を出力して、その紙幣を、分岐搬送路１７を介して、紙幣返却口１３に送り、オペレータに返却する。
【０１０２】
本実施態様においては、紙幣判別部１５は、ＲＦＩＤリーダー１５ｂを備えており、ＲＦＩＤリーダー１５ｂによって、紙幣に形成されたインレット中のＩＣチップに記録された紙幣のＩＤデータ、紙幣の金種データなどのＲＦＩＤデータが読み取られるから、２枚以上の紙幣の全部あるいは一部が重なり合って、送られている場合や、紙幣の短辺が紙幣の搬送方向と角度をなして送られている場合においても、その紙幣の金種を正確に判別することができるが、２枚以上の紙幣の全部あるいは一部が重なり合って、送られている場合や、紙幣の短辺が紙幣の搬送方向と角度をなして送られている場合には、それらの紙幣は、搬送路１６の下流側においてジャミングを起こすおそれがあるため、紙幣返却口１３に送って、オペレータに返却するように構成されている。
【０１０３】
一方、紙幣判別部１５によって検出された紙幣が、現に流通している真正な紙幣で、かつ、１枚ずつ、その短辺が紙幣の搬送方向と平行になるように送られているが、汚損レベルが所定レベルを超えた汚損紙幣であると判別したときは、ＣＰＵ５０は、判別結果を、ＲＡＭ５２の汚損紙幣の枚数を管理するためのデータを格納するメモリ領域に書き込むとともに、その紙幣を金種別に計数して、計数結果を、汚損紙幣の計数データとして、ＲＡＭ５２の汚損紙幣の枚数を管理するためのデータを格納するメモリ領域に書き込み、ゲート部材１８を駆動するソレノイド５６に駆動信号を出力することなく、ゲート部材２３を駆動するソレノイド５７に駆動信号を出力する。
【０１０４】
したがって、汚損紙幣は、搬送路１６内を、分岐搬送路１７の分岐部の下流側に送られ、第一の紙幣センサ４９ａによって検出され、紙幣検出信号がＣＰＵ５０に出力された後、分岐搬送路１９の分岐部に達すると、ゲート部材２３によって、選択的に分岐搬送路１９に導かれ、汚損紙幣一時貯留ボックス２８内に送られて、一時的に貯留される。
【０１０５】
これに対して、その紙幣が、汚損レベルが所定レベル以下の現に流通している真正な紙幣であり、かつ、第一の金種の紙幣であると判別したときは、ＣＰＵ５０は、判別結果を、ＲＡＭ５２の第一の金種の紙幣の枚数を管理するためのデータを格納するメモリ領域に書き込むとともに、その紙幣を金種別に計数して、計数結果を、第一の金種の紙幣の計数データとして、ＲＡＭ５２の第一の金種の紙幣の枚数を管理するためのデータを格納するメモリ領域に書き込み、ゲート部材１８を駆動するソレノイド５６およびゲート部材２３を駆動するソレノイド５７に駆動信号を出力することなく、ゲート部材２４を駆動するソレノイド５８に駆動信号を出力する。
【０１０６】
したがって、第一の金種の紙幣は、分岐搬送路１７の分岐部の下流側に送られ、第一の紙幣センサ４９ａによって検出され、紙幣検出信号がＣＰＵ５０に出力される。さらに、第一の金種の紙幣は、分岐搬送路１９の分岐部を通過し、搬送路１６内をさらに下流側に送られ、第二の紙幣センサ４９ｂによって検出されて、紙幣検出信号がＣＰＵ５０に出力された後、分岐搬送路２０の分岐部に達すると、ゲート部材２４によって、選択的に分岐搬送路２０に導かれ、第一の紙幣一時貯留ボックス２７ａ内に送られて、一時的に貯留される。
【０１０７】
一方、その紙幣が、汚損レベルが所定レベル以下の現に流通している真正な紙幣であり、かつ、第二の金種の紙幣であると判別したときは、ＣＰＵ５０は、判別結果を、第二の金種の紙幣の計数データとして、ＲＡＭ５２の第二の金種の紙幣の枚数を管理するためのデータを格納するメモリ領域に書き込むとともに、その紙幣を金種別に計数して、計数結果をＲＡＭ５２の第二の金種の紙幣の枚数を管理するためのデータを格納するメモリ領域に書き込み、ゲート部材１８を駆動するソレノイド５６、ゲート部材２３を駆動するソレノイド５７およびゲート部材２４を駆動するソレノイド５８に駆動信号を出力することなく、ゲート部材２５を駆動するソレノイド５９に駆動信号を出力する。
【０１０８】
したがって、第二の金種の紙幣は、分岐搬送路１７の分岐部の下流側に送られ、第一の紙幣センサ４９ａによって検出され、紙幣検出信号がＣＰＵ５０に出力される。さらに、第二の金種の紙幣は、分岐搬送路１９の分岐部を通過し、搬送路１６内をさらに下流側に送られて、第二の紙幣センサ４９ｂによって検出されて、紙幣検出信号がＣＰＵ５０に出力される。さらに、第二の金種の紙幣は、分岐搬送路２０の分岐部を通過し、搬送路１６内をさらに下流側に送られ、分岐搬送路２１の分岐部に達すると、ゲート部材２５によって、選択的に分岐搬送路２１に導かれ、第二の紙幣一時貯留ボックス２７ｂ内に送られて、一時的に貯留される。
【０１０９】
これに対して、その紙幣が、汚損レベルが所定レベル以下の現に流通している真正な紙幣であり、かつ、第三の金種の紙幣であると判別したときは、ＣＰＵ５０は、判別結果を、第三の金種の紙幣の計数データとして、ＲＡＭ５２の第三の金種の紙幣の枚数を管理するためのデータを格納するメモリ領域に書き込むとともに、その紙幣を金種別に計数して、計数結果をＲＡＭ５２の第三の金種の紙幣の枚数を管理するためのデータを格納するメモリ領域に書き込み、ゲート部材１８を駆動するソレノイド５６、ゲート部材２３を駆動するソレノイド５７、ゲート部材２４を駆動するソレノイド５８およびゲート部材２５を駆動するソレノイド５９に駆動信号を出力することなく、ゲート部材２６を駆動するソレノイド６０に駆動信号を出力する。
【０１１０】
したがって、第三の金種の紙幣は、分岐搬送路１７の分岐部の下流側に送られ、第一の紙幣センサ４９ａによって検出され、紙幣検出信号がＣＰＵ５０に出力された後、分岐搬送路１９の分岐部を通過し、搬送路１６内をさらに下流側に送られる。さらに、第三の金種の紙幣は、第二の紙幣センサ４９ｂによって検出されて、紙幣検出信号がＣＰＵ５０に出力された後、分岐搬送路２０の分岐部および分岐搬送路２１の分岐部を通過して、搬送路１６内をさらに下流側に送られ、分岐搬送路２２の分岐部に達すると、ゲート部材２６によって、選択的に分岐搬送路２２に導かれ、第三の紙幣一時貯留ボックス２７ｃ内に送られて、一時的に貯留される。
【０１１１】
一方、その紙幣が、汚損レベルが所定レベル以下の現に流通している真正な紙幣であり、かつ、第四の金種の紙幣であると判別したときは、ＣＰＵ５０は、判別結果を、第四の金種の紙幣の計数データとして、ＲＡＭ５２の第四の金種の紙幣の枚数を管理するためのデータを格納するメモリ領域に書き込むとともに、その紙幣を金種別に計数して、計数結果をＲＡＭ５２の第四の金種の紙幣の枚数を管理するためのデータを格納するメモリ領域に書き込み、ゲート部材１８を駆動するソレノイド５６、ゲート部材２３を駆動するソレノイド５７、ゲート部材２４を駆動するソレノイド５８、ゲート部材２５を駆動するソレノイド５９およびゲート部材２６を駆動するソレノイド６０のいずれにも駆動信号を出力しない。
【０１１２】
その結果、第四の金種の紙幣は、分岐搬送路１７の分岐部の下流側に送られ、第一の紙幣センサ４９ａによって検出され、紙幣検出信号がＣＰＵ５０に出力された後、分岐搬送路１９の分岐部を通過し、搬送路１６内をさらに下流側に送られ、第二の紙幣センサ４９ｂによって検出されて、紙幣検出信号がＣＰＵ５０に出力される。さらに、第四の金種の紙幣は、分岐搬送路２０の分岐部、分岐搬送路２１の分岐部および分岐搬送路２２の分岐部を通過して、搬送路１６内をさらに下流側に送られ、第四の紙幣一時貯留ボックス２７ｄ内に送られて、一時的に貯留される。
【０１１３】
本実施態様においては、このように、紙幣のＲＦＩＤデータに基づき、紙幣判別部１５によって検出された紙幣が、現に流通している真正な紙幣であるか否かを判別し、現に流通している真正な紙幣であると判別したときは、紙幣のＲＦＩＤデータに基づき、紙幣の金種を暫定的に決定し、暫定的に決定した紙幣の金種に対応する金種の紙幣の基準光学データおよび基準磁気データをＲＯＭ５１から読み出し、紙幣判別部１５のセンサユニット１５ａから入力された紙幣の光学データおよび磁気データを、ＲＯＭ５１から読み出した紙幣の基準光学データおよび基準磁気データと比較して、紙幣の金種を最終的に判別するとともに、その紙幣の汚損のレベル、紙幣が１枚ずつ送られているか否かならびに紙幣の短辺が紙幣の搬送方向と平行になるように送られているか否かを判別するように構成されているから、紙幣の判別に要する時間を大幅に短縮することが可能になる。
【０１１４】
これに対して、ソレノイド７１および紙幣繰り出し手段７４に駆動信号を出力してから、第一の所定時間が経過しても、紙幣判別部１５から、紙幣の光学データ、磁気データおよびＲＦＩＤデータが入力されないときは、ＣＰＵ５０は、紙幣入金口１１と紙幣判別部１５との間の搬送路１４内で、紙幣がジャミングを起こしていると判定し、ローラ駆動手段５５に駆動停止信号を出力するとともに、ディスプレイ７７に、紙幣処理機に故障が発生した旨を表示し、アラーム発生器７８にアラームを発せさせる。
【０１１５】
一方、紙幣判別部１５から、紙幣の光学データ、磁気データおよびＲＦＩＤデータが入力されてから、第二の所定時間が経過しても、第一の紙幣センサ４９ａから紙幣検出信号が入力されないときは、ＣＰＵ５０は、紙幣判別部１５と第一の紙幣センサ４９ａとの間の搬送路１６内で、紙幣がジャミングを起こしていると判定し、ローラ駆動手段５５に駆動停止信号を出力するとともに、ディスプレイ７７に、紙幣処理機に故障が発生した旨を表示し、アラーム発生器７８にアラームを発せさせる。
【０１１６】
これに対して、第一の紙幣センサ４９ａから紙幣検出信号が入力されてから、第三の所定時間が経過しても、第二の紙幣センサ４９ｂから紙幣検出信号が入力されないときは、ＣＰＵ５０は、第一の紙幣センサ４９ａの近傍の搬送路１６と第二の紙幣センサ４９ｂの近傍の搬送路１６との間の搬送路１６内で、紙幣がジャミングを起こしていると判定し、ローラ駆動手段５５に駆動停止信号を出力するとともに、ディスプレイ７７に、紙幣処理機に故障が発生した旨を表示し、アラーム発生器７８にアラームを発せさせる。
【０１１７】
紙幣処理機に故障が発生した旨が、ディスプレイ７７に表示され、アラーム発生器７８からアラームを発せられると、オペレータによって、紙幣処理機が開かれて、ジャミングを起こした紙幣が取り除かれるとともに、紙幣処理機内に残留しているすべての紙幣が取り除かれる。
【０１１８】
ここに、本実施態様においては、紙幣処理機内の搬送路に残留しているすべての紙幣に形成されたインレット中のＩＣチップに記録された紙幣のＩＤデータ、紙幣の金種データなどのＲＦＩＤデータが、ＲＦＩＤリーダー２９によって読み取られ、ＲＡＭ５２の所定のメモリ領域に格納されているから、オペレータは、キーボード７５に指示信号を入力して、ＲＦＩＤリーダー２９によって読み取られ、ＲＡＭ５２の所定のメモリ領域に格納されている紙幣のＲＦＩＤデータをディスプレイ７７に表示させることができ、したがって、確実にかつ速やかに、紙幣処理機内の搬送路に残留しているすべての紙幣を取り除き、紙幣処理機を再稼動させることが可能になるから、紙幣処理機の処理効率を大幅に向上させることができる。
【０１１９】
紙幣処理機内の搬送路に残留している紙幣を取り除き、紙幣処理機を再稼動させる場合には、オペレータによって、キーボード７５にリスタート信号が入力される。
【０１２０】
リスタート信号はＣＰＵ５０に出力され、リスタート信号を受けると、ＣＰＵ５０は、ＲＦＩＤリーダー２９から出力された紙幣のＲＦＩＤデータを、ＲＡＭ５２の所定のメモリ領域に格納するとともに、ＲＦＩＤリーダー２９から入力されたＲＦＩＤデータに基づいて、搬送路内に、紙幣が残存しているか否かを判定する。
【０１２１】
その結果、搬送路内に、紙幣が残存していると判定したときは、オペレータが取り除き忘れた紙幣が搬送路内に残存していると認められるから、ＣＰＵ５０は、ＲＡＭ５２の所定のメモリ領域に格納されている紙幣のＲＦＩＤデータと、搬送路内に、紙幣が残存している旨をディスプレイ７７に表示するとともに、アラーム発生器７８にアラームを発せさせる。
【０１２２】
したがって、搬送路内の紙幣を取り除き忘れた場合にも、オペレータは容易に、その事実を知り、搬送路内の紙幣を完全に取り除いた上で、紙幣処理機を再稼動させることが可能になる。
【０１２３】
搬送路内の紙幣が取り除かれると、オペレータによって、再び、キーボード７５にリスタート信号が入力され、紙幣処理機が再稼動される。
【０１２４】
これに対して、搬送路内に、紙幣が残存していないと判定したときは、ＣＰＵ５０は、ローラ駆動手段５５に駆動信号を出力して、搬送路１４、搬送路１６、分岐搬送路１７、分岐搬送路１９、分岐搬送路２０、分岐搬送路２１、分岐搬送路２２、出金紙幣搬送路３５、分岐搬送路４１ならびに分岐搬送路４５に設けられた搬送ローラ（図示せず）を駆動させ、紙幣の処理が再開される。
【０１２５】
紙幣入金口１１にセットされた紙幣のうち、紙幣返却口１３に送られた紙幣を除くすべての紙幣が、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に送られて、貯留されると、ＣＰＵ５０は、ＲＡＭ５２に書き込まれた計数結果に基づき、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に送られた紙幣の合計金額を算出し、ディスプレイ７７に表示する。
【０１２６】
ディスプレイ７７に表示された紙幣の合計金額が予期していた紙幣の合計金額と一致しないなどの理由で、オペレータが、入金処理を中止させるために、入金中止信号を、キーボード７５に入力し、入金中止信号がＣＰＵ５０に入力されたときは、ＣＰＵ５０は、ＲＡＭ５２の汚損紙幣の枚数を管理するためのデータを格納するメモリ領域、第一の金種の紙幣の枚数を管理するためのデータを格納するメモリ領域、第二の金種の紙幣の枚数を管理するためのデータを格納するメモリ領域、第三の金種の紙幣の枚数を管理するためのデータを格納するメモリ領域および第四の金種の紙幣の枚数を管理するためのデータを格納するメモリ領域に書き込まれた対応する紙幣の計数データを消去するとともに、紙幣一時貯留ユニット２７をロックしているロック部材（図示せず）のロックを解除するとともに、ディスプレイ７７に、ロックが解除され、紙幣一時貯留ユニット２７が取り出し可能な状態になった旨を表示する。
【０１２７】
したがって、オペレータは、紙幣一時貯留ユニット２７を紙幣処理機から引き出し、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に貯留されていた紙幣を回収することができる。
【０１２８】
これに対して、オペレータが、ディスプレイ７７に表示された紙幣の合計金額を確認して、入金指示信号を、キーボード７５に入力し、入金指示信号がＣＰＵ５０に入力されたときは、ＣＰＵ５０は、汚損紙幣一時貯留ボックス２８の底部を構成するシャッタを駆動するソレノイド６５、第一の紙幣一時貯留ボックス２７ａの底部を構成するシャッタを駆動するソレノイド６６、第二の紙幣一時貯留ボックス２７ｂの底部を構成するシャッタを駆動するソレノイド６７、第三の紙幣一時貯留ボックス２７ｃの底部を構成するシャッタを駆動するソレノイド６８および第四の紙幣一時貯留ボックス２７ｄの底部を構成するシャッタを駆動するソレノイド６９に駆動信号を出力する。
【０１２９】
その結果、汚損紙幣一時貯留ボックス２８内に一時的に貯留されていた汚損紙幣は、汚損紙幣収納ボックス３１内に落下して、汚損紙幣収納ボックス３１内に収納されるとともに、第一の紙幣一時貯留ボックス２７ａ内に一時的に貯留されていた第一の金種の紙幣は、第一の紙幣収納ボックス３０ａ内に落下して、第一の紙幣収納ボックス３０ａ内に収納され、第二の紙幣一時貯留ボックス２７ｂ内に一時的に貯留されていた第二の金種の紙幣は、第二の紙幣収納ボックス３０ｂ内に落下して、第二の紙幣収納ボックス３０ｂ内に収納される。同時に、第三の紙幣一時貯留ボックス２７ｃ内に一時的に貯留されていた第三の金種の紙幣は、第三の紙幣収納ボックス３０ｃ内に落下して、第三の紙幣収納ボックス３０ｃ内に収納され、第四の紙幣一時貯留ボックス２７ｄ内に一時的に貯留されていた第四の金種の紙幣は、第四の紙幣収納ボックス３０ｄ内に落下し、第四の紙幣収納ボックス３０ｄ内に収納される。
【０１３０】
ここに、紙幣の入金処理時には、ＣＰＵ５０は、ソレノイド手段６４ａ、ソレノイド手段６４ｂ、ソレノイド手段６４ｃおよびソレノイド手段６４ｄに駆動信号を出力せず、したがって、第一の紙幣収納ボックス３０ａに設けられた一対の係止爪３２ａ、３２ａ、第二の紙幣収納ボックス３０ｂに設けられた一対の係止爪３２ｂ、３２ｂ、第三の紙幣収納ボックス３０ｃに設けられた一対の係止爪３２ｃ、３２ｃならびに第四の紙幣収納ボックス３０ｄに設けられた一対の係止爪３２ｄ、３２ｄは、それぞれ、退避位置に保持されるから、第一の紙幣収納ボックス３０ａ内に送られた第一の金種の紙幣は、第一の紙幣収納ボックス３０ａの底板上に集積され、第二の紙幣収納ボックス３０ｂ内に送られた第二の金種の紙幣は、第二の紙幣収納ボックス３０ｂの底板上に集積される。同様に、第三の紙幣収納ボックス３０ｃ内に送られた第三の金種の紙幣は、第三の紙幣収納ボックス３０ｃの底板上に集積され、第四の紙幣収納ボックス３０ｄ内に送られた第四の金種紙幣は、第四の紙幣収納ボックス３０ｄの底板上に集積される。
【０１３１】
こうして、紙幣の入金処理が完了する。
【０１３２】
紙幣の入金処理の完了後、紙幣返却口１３に設けられた光学センサ１３ｂから、紙幣検出信号が入力されているときは、紙幣返却口１３に返却した紙幣をオペレータが取り忘れていると認められるから、ＣＰＵ５０は、ディスプレイ７７に、紙幣返却口１３に紙幣が残留している旨を表示する。
【０１３３】
紙幣処理機から、紙幣を出金する場合には、オペレータによって、出金すべき金種ごとの紙幣の枚数を特定する出金データと出金信号がキーボード７５に入力される。
【０１３４】
オペレータによって入力された出金データと出金信号は、ＣＰＵ５０に出力され、ＣＰＵ５０は、入力された出金すべき金種ごとの紙幣の枚数を特定する出金データを、ＲＡＭ５２の出金すべき紙幣を管理するデータを格納するメモリ領域に書き込む。
【０１３５】
次いで、ＣＰＵ５０は、ＲＡＭ５２の出金すべき紙幣を管理するデータを格納するメモリ領域に書き込んだ出金データにしたがって、第一の紙幣収納ボックス３０ａの下部に設けられた第一の紙幣繰り出し部３３ａ、第二の紙幣収納ボックス３０ｂの下部に設けられた第二の紙幣繰り出し部３３ｂ、第三の紙幣収納ボックス３０ｃの下部に設けられた第三の紙幣繰り出し部３３ｃおよび第四の紙幣収納ボックス３０ｄの下部に設けられた第四の紙幣繰り出し部３３ｄを選択的に駆動する。
【０１３６】
すなわち、第一の金種の紙幣を出金すべきときは、ＣＰＵ５０は、第一の紙幣繰り出し部３３ａに駆動信号を出力して、第一の紙幣収納ボックス３０ａ内に収納されている第一の金種の紙幣を、１枚ずつ、出金紙幣搬送路３５に繰り出させ、第二の金種の紙幣を出金すべきときは、ＣＰＵ５０は、第二の紙幣繰り出し部３３ｂに駆動信号を出力して、第二の紙幣収納ボックス３０ｂ内に収納されている第二の金種の紙幣を、１枚ずつ、出金紙幣搬送路３５に繰り出させる。一方、第三の金種の紙幣を出金すべきときは、ＣＰＵ５０は、第三の紙幣繰り出し部３３ｃに駆動信号を出力して、第三の紙幣収納ボックス３０ｃ内に収納されている第三の金種の紙幣を、１枚ずつ、出金紙幣搬送路３５に繰り出させ、第四の金種の紙幣を出金すべきときは、ＣＰＵ５０は、第四の紙幣繰り出し部３３ｄに駆動信号を出力して、第四の紙幣収納ボックス３０ｄ内に収納されている第四の金種の紙幣を、１枚ずつ、出金紙幣搬送路３５に繰り出させる。
【０１３７】
出金紙幣搬送路３５に繰り出された紙幣は、第三の紙幣センサ４９ｃによって検出されて、紙幣検出信号が、ＣＰＵ５０に出力された後、出金紙幣判別部４０に送られる。
【０１３８】
出金すべき紙幣が、出金紙幣判別部４０に送られると、センサユニット４０ａによって、紙幣の光学データおよび磁気データが読み取られるとともに、ＲＦＩＤリーダー４０ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【０１３９】
ＣＰＵ５０は、出金紙幣判別部４０から入力された紙幣の光学データ、磁気データおよびＲＦＩＤデータに基づいて、紙幣が、現に流通している真正な紙幣か否かを判別し、紙幣が現に流通している真正な紙幣であると判別したときは、その金種を判別するとともに、紙幣が１枚ずつ送られているか否かおよび紙幣の短辺が紙幣の搬送方向と平行になるように送られているか否かを判別する。
【０１４０】
ここに、紙幣判別部１５から入力された紙幣の光学データ、磁気データおよびＲＦＩＤデータに基づき、現に流通している真正な紙幣と判別された紙幣のみが、第一の紙幣収納ボックス３０ａ、第二の紙幣収納ボックス３０ｂ、第三の紙幣収納ボックス３０ｃおよび第四の紙幣収納ボックス３０ｄに送られて、収納され、第一の紙幣収納ボックス３０ａ、第二の紙幣収納ボックス３０ｂ、第三の紙幣収納ボックス３０ｃおよび第四の紙幣収納ボックス３０ｄ内には、それぞれ、第一の金種の紙幣、第二の金種の紙幣、第三の金種の紙幣および第四の金種の紙幣が収納されており、したがって、第一の紙幣収納ボックス３０ａ、第二の紙幣収納ボックス３０ｂ、第三の紙幣収納ボックス３０ｃおよび第四の紙幣収納ボックス３０ｄから繰り出されて、出金紙幣判別部４０に送られる紙幣はすべて、現に流通している真正な紙幣であるはずであり、また、その紙幣が、第一の紙幣収納ボックス３０ａ、第二の紙幣収納ボックス３０ｂ、第三の紙幣収納ボックス３０ｃおよび第四の紙幣収納ボックス３０ｄのうち、いずれの紙幣収納ボックスから繰り出されたかによって、その紙幣の金種を知ることができるから、出金紙幣判別部４０から入力された紙幣の光学データ、磁気データおよびＲＦＩＤデータに基づいて、ＣＰＵ５０が、出金すべき紙幣が、現に流通している真正な紙幣か否かを判別することは必ずしも必要ではないし、また、出金すべき紙幣の金種を判別することも必ずしも必要ではないが、本実施態様においては、紙幣処理機から、出金された紙幣の金種および枚数ならびに紙幣処理機内に収納されている紙幣の金種ごとの枚数を正確に管理するために、出金紙幣判別部４０から入力された紙幣の光学データ、磁気データおよびＲＦＩＤデータに基づいて、ＣＰＵ５０が、出金すべき紙幣が、現に流通している真正な紙幣か否かおよび出金すべき紙幣の金種を判別するように構成されている。
【０１４１】
ＣＰＵ５０は、出金紙幣判別部４０のＲＦＩＤリーダー４０ｂから入力されたＲＦＩＤデータをＲＡＭ５２に書き込むとともに、ＲＡＭ５２に書き込まれたＲＦＩＤデータに基づいて、紙幣が、現に流通している真正な紙幣か否かおよび紙幣の金種を暫定的に判別する。
【０１４２】
その結果、ＲＦＩＤデータに基づいて、出金紙幣判別部４０によって検出された紙幣が、現に流通している真正な紙幣ではないと判別したときは、ＣＰＵ５０は、判別結果をＲＡＭ５２に書き込み、これに対して、ＲＦＩＤデータに基づいて、紙幣が、現に流通している真正な紙幣と判別したときは、ＣＰＵ５０は、ＲＦＩＤデータに基づいて、紙幣の金種を暫定的に決定し、さらに、暫定的に決定した紙幣の金種に対応する金種の紙幣の基準光学データおよび基準磁気データをＲＯＭ５１から読み出す。
【０１４３】
次いで、ＣＰＵ５０は、出金紙幣判別部４０のセンサユニット４０ａから入力された紙幣の光学データおよび磁気データを、ＲＯＭ５１から読み出した紙幣の基準光学データおよび基準磁気データと比較し、紙幣の金種を最終的に判別するとともに、紙幣が１枚ずつ送られているか否かならびに紙幣の短辺が紙幣の搬送方向と平行になるように送られているか否かを判別する。
【０１４４】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ５０は、出金紙幣判別部４０によって検出された紙幣は、ＲＦＩＤデータに基づいて暫定的に決定した金種の紙幣であると最終的に判別する。
【０１４５】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、その紙幣は、現に流通している真正な紙幣であるが、紙幣の短辺が紙幣の搬送方向と平行になるように送られていないと判別する。
【０１４６】
ここに、紙幣が、現に流通している真正な紙幣であるが、汚損レベルが所定レベルを超えている場合には、光学センサ手段の反射光センサが検出した紙幣の表面パターンデータと、暫定的に決定した金種の紙幣の基準表面パターンデータとの差が、第一のしきい値を超え、第二のしきい値未満になるが、汚損レベルが所定レベルを超えた汚損紙幣は、汚損紙幣収納ボックス３１内に回収されているから、光学センサ手段の反射光センサが検出した紙幣の表面パターンデータと、暫定的に決定した金種の紙幣の基準表面パターンデータとの差が、第一のしきい値を超え、第二のしきい値未満になるということはない。
【０１４７】
これに対して、光学センサ手段の透過光センサが検出した紙幣の透過光データと、暫定的に決定した金種の紙幣の基準透過光データとを比較した結果、両者が実質的に一致しているときは、その紙幣は、１枚ずつ送られていると判別し、両者が実質的に一致していないときは、２枚以上の紙幣が、全部あるいはその一部が重なり合って、送られていると判別する。
【０１４８】
判別の結果、出金紙幣判別部４０によって検出された紙幣が、現に流通している真正な紙幣で、１枚ずつ、その短辺が紙幣の搬送方向と平行になるように送られていると判別したときは、ＣＰＵ５０は、判別した金種の紙幣が１枚出金された旨をＲＡＭ５２に書き込むとともに、その金種の紙幣の枚数を管理するためのデータを格納するＲＡＭ５２のメモリ領域に書き込まれた紙幣の計数データを１枚分だけ減じた上で、その紙幣を、出金紙幣搬送路３５、ゲート部材４２、出金紙幣搬送路３５、ゲート部材４６および出金紙幣搬送路３５を介して、紙幣出金口１２に送って、出金する。
【０１４９】
この際、第四の紙幣センサ４９ｄによって、紙幣が検出され、紙幣検出信号が、ＣＰＵ５０に出力される。
【０１５０】
一方、出金紙幣判別部４０によって検出された紙幣が、偽造紙幣もしくは外国紙幣と判別した場合には、ＣＰＵ５０は、ＲＡＭ５２の紙幣回収ボックス４３内に回収された紙幣の枚数を管理するデータを格納するメモリ領域に、偽造紙幣あるいは外国紙幣が検出され、偽造紙幣あるいは外国紙幣が１枚回収された旨の計数データを書き込み、さらに、ゲート部材４２を駆動するソレノイド６１に駆動信号を出力して、出金紙幣搬送路３５を分岐搬送路４１に連通させ、偽造紙幣あるいは外国紙幣と判別した紙幣を紙幣回収ボックス４３に導いて、紙幣回収ボックス４３内に回収させる。
【０１５１】
これに対して、ＣＰＵ５０が、２枚以上の紙幣の全部あるいは一部が重なり合って、送られていると判別した場合あるいは紙幣の短辺が紙幣の搬送方向と角度をなして送られていると判別した場合には、これらの紙幣を紙幣出金口１２に送ると、紙幣が出金紙幣搬送路３５内で、ジャミングを起こすおそれがあるため、ゲート部材４２を駆動するソレノイド６１に駆動信号を出力して、出金紙幣搬送路３５を分岐搬送路４１に連通させ、これらの紙幣を紙幣回収ボックス４３に導いて、紙幣回収ボックス４３内に回収させる。
【０１５２】
この際、ＣＰＵ５０は、ＲＦＩＤリーダー４０ｂによって読み取られた紙幣のＲＦＩＤデータに基づいて、紙幣回収ボックス４３内に回収された紙幣の金種および枚数を判別して、ＲＡＭ５２の紙幣回収ボックス４３内に回収された紙幣の枚数を管理するデータを格納するメモリ領域に書き込まれた紙幣の計数データを書き換えるとともに、その金種の紙幣の枚数を管理するためのデータを格納するＲＡＭ５２のメモリ領域に書き込まれた紙幣の計数データを書き換える。
【０１５３】
ここに、出金紙幣判別部４０が、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えているに過ぎない従来の紙幣処理機にあっては、２枚以上の紙幣の全部あるいは一部が重なり合って、送られている場合あるいは紙幣の短辺が紙幣の搬送方向と角度をなして送られている場合には、それらの金種を精度よく判別することが不可能であり、また、２枚以上の紙幣の全部あるいは一部が重なり合って、送られている場合には、何枚の紙幣が重なり合って送られているかを精度よく判別することが不可能であるため、紙幣回収ボックス４３内に回収された紙幣の金種別枚数を、精度よく、把握することができず、したがって、第一の紙幣収納ボックス３０ａ、第二の紙幣収納ボックス３０ｂ、第三の紙幣収納ボックス３０ｃおよび第四の紙幣収納ボックス３０ｄから、出金のために繰り出された紙幣の金種別枚数を精度よく把握することが不可能であるため、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に管理することが不可能であった。
【０１５４】
しかしながら、本実施態様においては、紙幣処理機の出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えたセンサユニット４０ａに加えて、紙幣に形成されたインレット中のＩＣチップに記録された紙幣のＩＤデータ、紙幣の金種データなどのＲＦＩＤデータを読み取るＲＦＩＤリーダー４０ｂを備えているため、２枚以上の紙幣の全部あるいは一部が重なり合って、送られている場合あるいは紙幣の短辺が紙幣の搬送方向と角度をなして送られている場合においても、ＣＰＵ５０は、ＲＦＩＤリーダー４０ｂによって読み取られた紙幣のＲＦＩＤデータに基づいて、それらの紙幣の金種を精度よく判別することができ、また、２枚以上の紙幣の全部あるいは一部が重なり合って、送られている場合に、ＣＰＵ５０は、ＲＦＩＤリーダー４０ｂによって読み取られた紙幣のＲＦＩＤデータに基づいて、何枚の紙幣が重なり合って送られているかを精度よく判別することができ、したがって、第一の紙幣収納ボックス３０ａ、第二の紙幣収納ボックス３０ｂ、第三の紙幣収納ボックス３０ｃおよび第四の紙幣収納ボックス３０ｄから、出金のために繰り出された紙幣の金種別枚数を精度よく把握して、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に管理することができ、紙幣処理機の紙幣管理機能を大幅に向上させることが可能になる。
【０１５５】
こうして、第一の紙幣収納ボックス３０ａ、第二の紙幣収納ボックス３０ｂ、第三の紙幣収納ボックス３０ｃおよび第四の紙幣収納ボックス３０ｄから、選択的に、紙幣が繰り出され、紙幣が出金されるたびに、ＣＰＵ５０は、対応する金種の紙幣の枚数を管理するためのデータを格納するＲＡＭ５２のメモリ領域に書き込まれた紙幣の計数データを書き換えるとともに、その紙幣が、現に流通している真正な紙幣で、１枚ずつ、その短辺が紙幣の搬送方向と平行になるように送られていると判別したときは、その金種の紙幣が、１枚出金された旨をＲＡＭ５２に書き込み、一方、紙幣を紙幣回収ボックス４３内に回収すべきと判別したときは、ＲＡＭ５２の紙幣回収ボックス４３内に回収された紙幣の枚数を管理するデータを格納するメモリ領域に書き込まれた紙幣の計数データを書き換える。
【０１５６】
こうして、ＲＡＭ５２に書き込まれた出金された紙幣の金種別の枚数データが、ＲＡＭ５２に書き込まれた出金データ中の各金種の紙幣の出金すべき枚数に等しくなると、紙幣の出金処理が完了する。
【０１５７】
紙幣の出金処理が完了した後、紙幣出金口１２に設けられた光学センサ１２ｂから、紙幣検出信号が入力されているときは、紙幣出金口１２に出金した紙幣をオペレータが取り忘れていると認められるから、ＣＰＵ５０は、ディスプレイ７７に、紙幣出金口１２に紙幣が残留している旨を表示する。
【０１５８】
これに対して、第一の紙幣繰り出し部３３ａ、第二の紙幣繰り出し部３３ｂ、第三の紙幣繰り出し部３３ｃおよび第四の紙幣繰り出し部３３ｄを選択的に駆動してから、第四の所定時間が経過しても、第三の紙幣センサ４９ｃから紙幣検出信号が入力されないときは、ＣＰＵ５０は、第三の紙幣センサ４９ｃよりも上流側の出金紙幣搬送路３５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１５９】
また、第三の紙幣センサ４９ｃから紙幣検出信号が入力されてから、第五の所定時間が経過しても、出金紙幣判別部４０から、紙幣の光学データ、磁気データおよびＲＦＩＤデータが入力されないときは、ＣＰＵ５０は、第三の紙幣センサ４９ｃの近傍の出金紙幣搬送路３５と出金紙幣判別部４０との間の出金紙幣搬送路３５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１６０】
一方、出金紙幣判別部４０から、紙幣の光学データ、磁気データおよびＲＦＩＤデータが入力されてから、第六の所定時間が経過しても、第四の紙幣センサ４９ｄから紙幣検出信号が入力されないときは、ＣＰＵ５０は、出金紙幣判別部４０と第四の紙幣センサ４９ｄの近傍の出金紙幣搬送路３５との間の出金紙幣搬送路３５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１６１】
これに対して、第四の紙幣センサ４９ｄから紙幣検出信号が入力されてから、第七の所定時間が経過しても、紙幣出金口１２内に設けられたＲＦＩＤリーダー１２ｂから、紙幣のＲＦＩＤデータが入力されないときは、ＣＰＵ５０は、第四の紙幣センサ４９ｄの近傍の出金紙幣搬送路３５と紙幣出金口１２との間の出金紙幣搬送路３５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１６２】
紙幣処理機に故障が発生した旨が、ディスプレイ７７に表示され、アラーム発生器７８からアラームを発せられると、オペレータによって、紙幣処理機が開かれて、ジャミングを起こした紙幣が取り除かれるとともに、紙幣処理機内に残留しているすべての紙幣が取り除かれる。
【０１６３】
ここに、本実施態様においては、紙幣処理機内の搬送路に残留しているすべての紙幣に形成されたインレット中のＩＣチップに記録された紙幣のＩＤデータ、紙幣の金種データなどのＲＦＩＤデータが、ＲＦＩＤリーダー２９によって読み取られ、ＲＡＭ５２の所定のメモリ領域に格納されているから、オペレータは、キーボード７５に指示信号を入力して、ＲＦＩＤリーダー２９によって読み取られ、ＲＡＭ５２の所定のメモリ領域に格納されている紙幣のＲＦＩＤデータをディスプレイ７７に表示させることができ、したがって、確実にかつ速やかに、紙幣処理機内の搬送路に残留しているすべての紙幣を取り除き、紙幣処理機を再稼動させることが可能になるから、紙幣処理機の処理効率を大幅に向上させることができる。
【０１６４】
紙幣処理機内の搬送路に残留している紙幣を取り除き、紙幣処理機を再稼動させる場合には、オペレータによって、キーボード７５にリスタート信号が入力される。
【０１６５】
リスタート信号はＣＰＵ５０に出力され、リスタート信号を受けると、ＣＰＵ５０は、ＲＦＩＤリーダー２９から出力された紙幣のＲＦＩＤデータを、ＲＡＭ５２の所定のメモリ領域に格納するとともに、ＲＦＩＤリーダー２９から入力されたＲＦＩＤデータに基づいて、搬送路内に、紙幣が残存しているか否かを判定する。
【０１６６】
その結果、搬送路内に、紙幣が残存していると判定したときは、オペレータが取り除き忘れた紙幣が搬送路内に残存していると認められるから、ＣＰＵ５０は、ＲＡＭ５２の所定のメモリ領域に格納されている紙幣のＲＦＩＤデータと、搬送路内に、紙幣が残存している旨をディスプレイ７７に表示するとともに、アラーム発生器７８にアラームを発せさせる。
【０１６７】
したがって、搬送路内の紙幣を取り除き忘れた場合にも、オペレータは容易に、その事実を知り、搬送路内の紙幣を完全に取り除いた上で、紙幣処理機を再稼動させることが可能になる。
【０１６８】
搬送路内の紙幣が取り除かれると、オペレータによって、再び、キーボード７５にリスタート信号が入力され、紙幣処理機が再稼動される。
【０１６９】
これに対して、搬送路内に、紙幣が残存していないと判定したときは、ＣＰＵ５０は、ローラ駆動手段５５に駆動信号を出力して、搬送路１４、搬送路１６、分岐搬送路１７、分岐搬送路１９、分岐搬送路２０、分岐搬送路２１、分岐搬送路２２、出金紙幣搬送路３５、分岐搬送路４１ならびに分岐搬送路４５に設けられた搬送ローラ（図示せず）を駆動させ、紙幣の処理が再開される。
【０１７０】
本実施態様にかかる紙幣処理機は、さらに、随時、第一の紙幣収納ボックス３０ａ、第二の紙幣収納ボックス３０ｂ、第三の紙幣収納ボックス３０ｃおよび第四の紙幣収納ボックス３０ｄならびに紙幣回収ボックス４３内に収納されている紙幣の金種別の枚数を確認する収納紙幣確認処理を実行可能に構成されている。
【０１７１】
すなわち、第一の紙幣収納ボックス３０ａに収納されている紙幣の枚数を確認する収納紙幣確認処理を実行するときは、まず、ＣＰＵ５０から、モータ７０ａに第一の駆動信号が出力されて、第一の紙幣収納ボックス３０ａに設けられた一対の係止爪３２ａ、３２ａが第一の紙幣収納ボックス３０ａの上部の第一の位置に移動される。ここに、第一の位置は、第一の紙幣一時貯留ボックス２７ａ内に一時的に貯留可能な最大枚数の第一の金種の紙幣が、一対の係止爪３２ａ、３２ａ上に保持されたときに、最上の紙幣と第一の紙幣収納ボックス３０ａの頂部との間にスペースが確保されるように、設定される。
【０１７２】
次いで、ＣＰＵ５０から、ソレノイド手段６４ａに駆動信号が出力されて、第一の紙幣収納ボックス３０ａに設けられた一対の係止爪３２ａ、３２ａが、支点まわりに、突出位置に揺動される。
【０１７３】
その後、ＣＰＵ５０から、ゲート部材４６を駆動するソレノイド６２に駆動信号が出力され、ゲート部材４６が、出金紙幣搬送路３５と分岐搬送路４５とを連通する位置に位置決めされ、第一の紙幣収納ボックス３０ａから、紙幣が繰り出され、出金紙幣判別部４０を通過することによって、ＣＰＵ５０により、紙幣の金種が判別されるとともに、金種ごとの枚数が計数されて、判別結果および計数結果がＲＡＭ５２に書き込まれ、出金紙幣搬送路３５、ゲート部材４６、分岐搬送路４５、搬送路１６、ゲート部材２４および分岐搬送路２０を介して、第一の紙幣一時貯留ボックス２７ａ内に一時的に貯留される。この際、第二の紙幣センサ４９ｂによって、紙幣が検出され、紙幣検出信号が、ＣＰＵ５０に出力される。
【０１７４】
こうして、第一の紙幣収納ボックス３０ａから、次々に、第一の金種の紙幣が繰り出されて、第一の紙幣一時貯留ボックス２７ａ内に送られて、一時的に貯留され、第一の紙幣一時貯留ボックス２７ａ内に一時的に貯留された第一の金種の紙幣の枚数が所定枚数に達すると、ＣＰＵ５０は、ソレノイド６６に駆動信号を出力して、第一の紙幣一時貯留ボックス２７ａの底部を構成するシャッタを開き、第一の紙幣一時貯留ボックス２７ａ内に一時的に貯留された第一の金種の紙幣を、第一の紙幣収納ボックス３０ａ内に落下させて、送り出す。
【０１７５】
第一の紙幣収納ボックス３０ａ内に送り出された第一の金種の紙幣は、一対の係止爪３２ａ、３２ａ上に保持される。
【０１７６】
こうして、所定枚数の第一の金種の紙幣が、第一の紙幣収納ボックス３０ａ内に設けられた一対の係止爪３２ａ、３２ａ上に保持されると、ＣＰＵ５０は、モータ７０ａに第二の駆動信号を出力して、所定枚数の第一の金種の紙幣の厚さに等しい距離だけ、一対の係止爪３２ａ、３２ａを下降させる。
【０１７７】
同様にして、第一の紙幣収納ボックス３０ａから、次々に、第一の金種の紙幣が繰り出して、出金紙幣搬送路３５、出金紙幣判別部４０、出金紙幣搬送路３５、ゲート部材４６、分岐搬送路４５、搬送路１６、ゲート部材２４および分岐搬送路２０を介して、第一の紙幣一時貯留ボックス２７ａ内に送って、一時的に貯留し、第一の紙幣一時貯留ボックス２７ａ内に一時的に貯留された第一の金種の紙幣の枚数が所定枚数に達すると、第一の紙幣一時貯留ボックス２７ａ内に一時的に貯留された第一の金種の紙幣を、第一の紙幣収納ボックス３０ａ内に送り出して、一対の係止爪３２ａ、３２ａ上に保持させ、一対の係止爪３２ａ、３２ａ下降させる動作を繰り返し、第一の紙幣収納ボックス３０ａ内に収納されていた第一の金種の紙幣がすべて、第一の紙幣収納ボックス３０ａから繰り出され、出金紙幣搬送路３５、出金紙幣判別部４０、出金紙幣搬送路３５、ゲート部材４６、分岐搬送路４５、搬送路１６、ゲート部材２４、分岐搬送路２０および第一の紙幣一時貯留ボックス２７ａを介して、第一の紙幣収納ボックス３０ａ内に送り返されると、第一の紙幣収納ボックス３０ａに収納されている紙幣の枚数を確認する収納紙幣確認処理が終了する。
【０１７８】
第二の紙幣収納ボックス３０ｂ、第三の紙幣収納ボックス３０ｃおよび第四の紙幣収納ボックス３０ｄのそれぞれに収納されている紙幣の枚数を確認する収納紙幣確認処理も、同様にして、実行することができる。
【０１７９】
収納紙幣確認処理の実行中に、第一の紙幣繰り出し部３３ａ、第二の紙幣繰り出し部３３ｂ、第三の紙幣繰り出し部３３ｃおよび第四の紙幣繰り出し部３３ｄを選択的に駆動してから、第四の所定時間が経過しても、第三の紙幣センサ４９ｃから紙幣検出信号が入力されないときは、ＣＰＵ５０は、第三の紙幣センサ４９ｃよりも上流側の出金紙幣搬送路３５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１８０】
また、第三の紙幣センサ４９ｃから紙幣検出信号が入力されてから、第五の所定時間が経過しても、出金紙幣判別部４０から、紙幣の光学データ、磁気データおよびＲＦＩＤデータが入力されないときは、ＣＰＵ５０は、第三の紙幣センサ４９ｃの近傍の出金紙幣搬送路３５と出金紙幣判別部４０との間の出金紙幣搬送路３５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１８１】
一方、出金紙幣判別部４０から、紙幣の光学データ、磁気データおよびＲＦＩＤデータが入力されてから、第六の所定時間が経過しても、第四の紙幣センサ４９ｄから紙幣検出信号が入力されないときは、ＣＰＵ５０は、出金紙幣判別部４０と第四の紙幣センサ４９ｄの近傍の出金紙幣搬送路３５との間の出金紙幣搬送路３５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１８２】
これに対して、第四の紙幣センサ４９ｄから紙幣検出信号が入力されてから、第八の所定時間が経過しても、第二の紙幣センサ４９ｂから紙幣検出信号が入力されないときは、ＣＰＵ５０は、第四の紙幣センサ４９ｄの近傍の出金紙幣搬送路３５と第二の紙幣センサ４９ｂの近傍の分岐搬送路４５内で、紙幣のジャミングが発生したと判定し、ローラ駆動手段５５に駆動停止信号を出力するとともに、ディスプレイ７７に、紙幣処理機に故障が発生した旨を表示し、アラーム発生器７８にアラームを発せさせる。
【０１８３】
紙幣処理機に故障が発生した旨が、ディスプレイ７７に表示され、アラーム発生器７８からアラームを発せられると、オペレータによって、紙幣処理機が開かれて、ジャミングを起こした紙幣が取り除かれるとともに、紙幣処理機内に残留しているすべての紙幣が取り除かれる。
【０１８４】
ここに、本実施態様においては、紙幣処理機内の搬送路に残留しているすべての紙幣に形成されたインレット中のＩＣチップに記録された紙幣のＩＤデータ、紙幣の金種データなどのＲＦＩＤデータが、ＲＦＩＤリーダー２９によって読み取られ、ＲＡＭ５２の所定のメモリ領域に格納されているから、オペレータは、キーボード７５に指示信号を入力して、ＲＦＩＤリーダー２９によって読み取られ、ＲＡＭ５２の所定のメモリ領域に格納されている紙幣のＲＦＩＤデータをディスプレイ７７に表示させることができ、したがって、確実にかつ速やかに、紙幣処理機内の搬送路に残留しているすべての紙幣を取り除き、紙幣処理機を再稼動させることが可能になるから、紙幣処理機の処理効率を大幅に向上させることができる。
【０１８５】
紙幣処理機内の搬送路に残留している紙幣を取り除き、紙幣処理機を再稼動させる場合には、オペレータによって、キーボード７５にリスタート信号が入力される。
【０１８６】
リスタート信号はＣＰＵ５０に出力され、リスタート信号を受けると、ＣＰＵ５０は、ＲＦＩＤリーダー２９から出力された紙幣のＲＦＩＤデータを、ＲＡＭ５２の所定のメモリ領域に格納するとともに、ＲＦＩＤリーダー２９から入力されたＲＦＩＤデータに基づいて、搬送路内に、紙幣が残存しているか否かを判定する。
【０１８７】
その結果、搬送路内に、紙幣が残存していると判定したときは、オペレータが取り除き忘れた紙幣が搬送路内に残存していると認められるから、ＣＰＵ５０は、ＲＡＭ５２の所定のメモリ領域に格納されている紙幣のＲＦＩＤデータと、搬送路内に、紙幣が残存している旨をディスプレイ７７に表示するとともに、アラーム発生器７８にアラームを発せさせる。
【０１８８】
したがって、搬送路内の紙幣を取り除き忘れた場合にも、オペレータは容易に、その事実を知り、搬送路内の紙幣を完全に取り除いた上で、紙幣処理機を再稼動させることが可能になる。
【０１８９】
搬送路内の紙幣が取り除かれると、オペレータによって、再び、キーボード７５にリスタート信号が入力され、紙幣処理機が再稼動される。
【０１９０】
これに対して、搬送路内に、紙幣が残存していないと判定したときは、ＣＰＵ５０は、ローラ駆動手段５５に駆動信号を出力して、搬送路１４、搬送路１６、分岐搬送路１７、分岐搬送路１９、分岐搬送路２０、分岐搬送路２１、分岐搬送路２２、出金紙幣搬送路３５、分岐搬送路４１ならびに分岐搬送路４５に設けられた搬送ローラ（図示せず）を駆動させ、紙幣の処理が再開される。
【０１９１】
さらに、ＣＰＵ５０は、ＲＡＭ５２に書き込まれている紙幣回収ボックス４３に送り込まれた紙幣のデータを読み出して、紙幣回収ボックス４３内に回収されている紙幣の金種別の枚数ならびに偽造紙幣、外国紙幣などの流通していない紙幣の枚数を確認する。
【０１９２】
こうして、収納紙幣確認処理が完了する。
【０１９３】
本実施態様によれば、紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａに加えて、紙幣に形成されたインレット中のＩＣチップに記録された紙幣のＩＤデータ、紙幣の金種データなどのＲＦＩＤデータを読み取るＲＦＩＤリーダー１５ｂを備え、ＲＦＩＤリーダー１５ｂによって読み取られたＲＦＩＤデータに基づいて、紙幣の金種を暫定的に決定し、暫定的に決定した紙幣の金種に対応する金種の紙幣の基準光学データおよび基準磁気データをＲＯＭ５１から読み出し、紙幣判別部１５のセンサユニット１５ａから入力された紙幣の光学データおよび磁気データを、ＲＯＭ５１から読み出した紙幣の基準光学データおよび基準磁気データと比較し、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するように構成されているから、紙幣処理機に投入された紙幣の判別に要する時間を大幅に短縮することが可能になるとともに、紙幣処理機に投入された紙幣の判別精度を大幅に向上させることが可能になる。
【０１９４】
また、本実施態様によれば、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット４０ａに加えて、出金すべき紙幣に形成されたインレット中のＩＣチップに記録された紙幣のＩＤデータ、紙幣の金種データなどのＲＦＩＤデータを読み取るＲＦＩＤリーダー４０ｂを備え、ＲＦＩＤリーダー４０ｂによって読み取られたＲＦＩＤデータに基づいて、紙幣の金種を暫定的に決定し、暫定的に決定した紙幣の金種に対応する金種の紙幣の基準光学データおよび基準磁気データをＲＯＭ５１から読み出し、出金紙幣判別部４０のセンサユニット４０ａから入力された紙幣の光学データおよび磁気データを、ＲＯＭ５１から読み出した紙幣の基準光学データおよび基準磁気データと比較し、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するように構成されているから、出金すべき紙幣の判別に要する時間を大幅に短縮することが可能になるとともに、出金すべき紙幣の判別精度を大幅に向上させることが可能になる。
【０１９５】
さらに、従来の紙幣処理機においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを有するセンサユニット４０ａのみを備えているにすぎず、したがって、２枚以上の紙幣の全部あるいは一部が重なり合って、搬送されているということは判別できても、それらの紙幣の金種および何枚の紙幣が重なり合って送られているかを判別することはできず、また、紙幣の短辺が紙幣の搬送方向と角度をなして搬送されているということは判別できても、その紙幣の金種を判別することはできないため、紙幣回収ボックス４３内に回収された紙幣の金種および金種別の枚数を正確に把握することは不可能で、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に把握することは不可能であったが、本実施態様によれば、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット４０ａに加えて、出金すべき紙幣に形成されたインレット中のＩＣチップに記録された紙幣のＩＤデータ、紙幣の金種データなどのＲＦＩＤデータを読み取るＲＦＩＤリーダー４０ｂを備えているから、２枚以上の紙幣の全部あるいは一部が重なり合って、送られている場合においても、ＣＰＵ５０は、ＲＦＩＤリーダー４０ｂによって読み取られた紙幣のＲＦＩＤデータに基づいて、それらの紙幣の金種および何枚の紙幣が重なり合って送られているかを精度よく判別することができ、また、紙幣の短辺が紙幣の搬送方向と角度をなして送られている場合においても、ＣＰＵ５０は、ＲＦＩＤリーダー４０ｂによって読み取られた紙幣のＲＦＩＤデータに基づいて、それらの紙幣の金種を精度よく判別することが可能になり、したがって、紙幣回収ボックス４３内に回収されるべき紙幣の金種および枚数を精度よく判別することができるから、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に把握することができ、紙幣処理機の紙幣管理機能を大幅に向上させることが可能になる。
【０１９６】
また、本実施態様によれば、ゲート部材２５と紙幣判別部１５の間に、紙幣に形成されたインレット中のＩＣチップに記録された紙幣のＩＤデータ、紙幣の金種データなどのＲＦＩＤデータを読み取るＲＦＩＤリーダー２９が設けられ、所定の周波数、たとえば、マイクロ波帯の電波を発信し、紙幣に形成されたインレットのアンテナに受信させて、インレット中のＩＣチップに書き込まれたＲＦＩＤデータを読み取るように構成されているから、ＲＦＩＤリーダー２９から発信される周波数の電波を遮蔽する性質を有する材料によって形成されている紙幣検出部１５および出金紙幣判別部４０内に位置している紙幣と、ＲＦＩＤリーダー２９から発信される周波数の電波を遮蔽する性質を有する材料によって形成されている紙幣一時貯留ユニット２７の汚損紙幣一時貯留ボックス２８、第一の紙幣一時貯留ボックス２７ａ、第二の紙幣一時貯留ボックス２７ｂ、および第三の紙幣一時貯留ボックス２７ｃおよび第四の紙幣一時貯留ボックス２７ｄ、紙幣収納ユニット３０の汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄならびに紙幣回収ボックス４３内に収容されている紙幣と、ＲＦＩＤリーダー２９から発信される周波数の電波を遮蔽する性質を有する金属製のシャッタ１１ｂ、シャッタ１２ｂおよびシャッタ１３ｂによって、紙幣処理機の内部と遮断されている紙幣入金口１１、紙幣出金口１２および紙幣返却口１３内に存在している紙幣以外の紙幣、すなわち、紙幣処理機内の搬送路に存在しているすべての紙幣のＲＦＩＤデータが、ＲＦＩＤリーダー２９によって読み取られ、ＲＡＭ５２の所定のメモリ領域に格納される。したがって、紙幣のジャミングが発生し、紙幣処理機を作動を停止させて、ジャミングを起こした紙幣が取り除くとともに、紙幣処理機内に残留しているすべての紙幣を取り除いて、紙幣処理機を再稼動させるときに、オペレータは、キーボード７５に指示信号を入力して、ＲＦＩＤリーダー２９によって読み取られ、ＲＡＭ５２の所定のメモリ領域に格納されている紙幣のＲＦＩＤデータをディスプレイ７７に表示させることができるから、確実にかつ速やかに、紙幣処理機内の搬送路に残留しているすべての紙幣を取り除き、紙幣処理機を再稼動させることができ、紙幣処理機の処理効率を大幅に向上させることが可能になる。
【０１９７】
さらに、本実施態様によれば、紙幣処理機を再稼動させるにあたり、オペレータによって、キーボード７５にリスタート信号が入力され、リスタート信号がＣＰＵ５０に出力されたときに、ＣＰＵ５０が、ＲＦＩＤリーダー２９から入力されたＲＦＩＤデータに基づいて、搬送路内に、紙幣が残存しているか否かを判定し、搬送路内に、紙幣が残存していると判定したときは、搬送路内に、紙幣が残存している旨をディスプレイ７７に表示するとともに、アラーム発生器７８にアラームを発せさせるように構成されているから、搬送路内の紙幣を取り除き忘れた場合にも、オペレータは容易に、その事実を知って、搬送路内の紙幣を完全に取り除いた上で、紙幣処理機を再稼動させることが可能になり、したがって、紙幣処理機の処理効率をより一層向上させることが可能になる。
【０１９８】
図４は、本発明の別の好ましい実施態様にかかる紙幣処理機の略縦断面図である。
【０１９９】
本実施態様にかかる紙幣処理機は、図１および図２に示された紙幣処理機と同様に、紙幣の発行権限を有する機関によって、インレット中の読み取り専用のＩＣチップに、紙幣のＩＤデータ、紙幣の金種データなどのＲＦＩＤデータが、特定のフォーマットで、記録された紙幣を処理するように構成され、オペレータによって指定された金種の紙幣を重ね合わせて、所定枚数の紙幣を含む紙幣束を生成し、生成された紙幣束に、結束テープを巻回して、帯封処理が施された紙幣束を生成するように構成されている。
【０２００】
図４に示されるように、本実施態様にかかる紙幣処理機は、金属によって形成されたハウジング１００を備え、ハウジング１００の上部には、紙幣束を生成すべき紙幣がセットされる紙幣入金口１０２と、紙幣束を出金する紙幣束出金口１０３と、紙幣入金口１０２にセットされた紙幣のうち、受け入れ不能と判別された紙幣を返却する第一の紙幣返却口１０４と、紙幣入金口１０２にセットされた紙幣のうち、受け入れ可能ではあるが、その金種が、オペレータが指定した金種とは異なると判別された真正な紙幣および汚損レベルが所定レベルを超えた汚損紙幣を返却する第二の紙幣返却口１０５が設けられている。
【０２０１】
図４に示されるように、紙幣入金口１０２と紙幣処理機の内部機構との間には、開閉可能な金属製のシャッタ１０２ａが設けられ、紙幣入金口１０２内には、紙幣の有無を検出する光学センサ１０２ｂが設けられている。また、紙幣束出金口１０３と紙幣処理機の内部機構との間には、開閉可能な金属製のシャッタ１０３ａが設けられ、紙幣出金口１０３内には、紙幣の有無を検出する光学センサ１０３ｂが設けられている。さらに、第一の紙幣返却口１０４と紙幣処理機の内部機構との間には、開閉可能な金属製のシャッタ１０４ａが設けられ、紙幣返却口１０４内には、紙幣の有無を検出する光学センサ１０４ｂが設けられている。同様に、第二の紙幣返却口１０５と紙幣処理機の内部機構との間には、開閉可能な金属製のシャッタ１０５ａが設けられ、紙幣返却口１０５内には、紙幣の有無を検出する光学センサ１０５ｂが設けられている。
【０２０２】
紙幣入金口１０２は、重ね合わされた複数枚の紙幣を投入可能に構成されており、図４に示されるように、紙幣入金口１０２にセットされた紙幣は、繰り出しローラ（図示せず）によって、１枚ずつ、紙幣入金口１０２から、搬送路１０９内に繰り出されるように構成されている。
【０２０３】
図４に示されるように、搬送路１０９は、紙幣を判別するためのデータを生成する紙幣判別部１１０に接続されている。
【０２０４】
紙幣判別部１１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、現に流通している真正な紙幣か否か、現に流通している真正な紙幣である場合は、紙幣の金種、汚損のレベルおよび紙幣の表裏、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に一体的に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１１０のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、現に流通している真正な紙幣か否か、現に流通している真正な紙幣である場合は、紙幣の金種、汚損のレベルおよび紙幣の表裏、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている現に流通している真正な紙幣が金種別に計数されるように構成されている。
【０２０５】
このように、紙幣判別部１１０は、ＲＦＩＤリーダーを備えているため、ＲＦＩＤリーダーが紙幣判別部１１０外に存在する紙幣のＲＦＩＤデータを読み取ることがないように、ＲＦＩＤリーダーから発信される周波数の電波を遮蔽する性質を有する材料によって形成されたケーシング１１０ｃによって覆われている。
【０２０６】
図４に示されるように、紙幣判別部１１０の下流側には、搬送路１１１が接続されており、搬送路１１１から、第一の紙幣返却口１０４に接続された分岐搬送路１１２が分岐し、分岐搬送路１１２の分岐部には、紙幣を、搬送路１１１および分岐搬送路１１２のいずれかに選択的に導くゲート部材１１３が設けられている。
【０２０７】
紙幣判別部１１０のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１１１、ゲート部材１１３および分岐搬送路１１２を介して、第一の紙幣返却口１０４に送られて、オペレータに返却される。
【０２０８】
さらに、分岐搬送路１１２の分岐部の下流側の搬送路１１１から、第二の紙幣返却口１０５に接続された分岐搬送路１１４が分岐し、分岐搬送路１１４の分岐部には、紙幣を、搬送路１１１および分岐搬送路１１４のいずれかに選択的に導くゲート部材１１５が設けられている。
【０２０９】
紙幣判別部１１０のセンサユニットによって生成された紙幣の光学データおよび磁気データならびにＲＦＩＤリーダーによって読み取られたＲＦＩＤデータに基づき、１枚ずつ、その短辺が紙幣の搬送方向と平行になるように送られている真正でかつ現に流通している紙幣であるが、その金種が、オペレータが指定した金種とは異なると判別された紙幣は、搬送路１１１、ゲート部材１１５および分岐搬送路１１４を介して、第二の紙幣返却口１０５に送られて、オペレータに返却される。
【０２１０】
図４に示されるように、分岐搬送路１１４の分岐部の下流側の搬送路１１１には、紙幣の表裏を反転させる表裏反転搬送路１１６が接続されて、接続部には、紙幣を、搬送路１１１および表裏反転搬送路１１６のいずれかに選択的に導くゲート部材１１７が設けられている。
【０２１１】
表裏反転搬送路１１６は、紙幣判別部１１０が検出した紙幣のデータに基づいて、紙幣が裏面を上にして搬送されていると判別されたときに、紙幣が表面を上にして搬送されるように、紙幣の表裏を反転させる機能を有し、正逆回転可能な複数のローラ対１１８を備えている。
【０２１２】
表裏を反転させるべき紙幣は、複数のローラ対１１８によって、搬送路１１１から表裏反転搬送路１１６内に受け入れられた後、複数のローラ対１１８が逆転され、搬送路１１１に戻されることによって、その表裏が反転される。
【０２１３】
図４に示されるように、搬送路１１１は、さらに、下流側に延び、向きを変えて、紙幣集積部１２０に接続されている。
【０２１４】
図４に示されるように、異なる向きに延びる搬送路１１１の間には、紙幣に形成されたインレット中のＩＣチップに記録された紙幣のＩＤデータ、紙幣の金種データなどのＲＦＩＤデータを読み取るＲＦＩＤリーダー１２５が設けられており、紙幣集積部１２０は、ＲＦＩＤリーダー１２５から発信される周波数の電波を遮蔽する性質を有する材料によって、覆われている。また、紙幣判別部１１０のケーシング１１０ｃは、紙幣判別部１１０に設けられたＲＦＩＤリーダーから発信される周波数の電波を遮蔽するとともに、ＲＦＩＤリーダー１２５から発信される周波数の電波を遮蔽する性質を有する材料によって形成されている。
【０２１５】
紙幣集積部１２０に送られた紙幣は、紙幣集積部１２０に設けられた紙幣集積機構（図示せず）によって、紙幣集積部１２０内で集積され、所定枚数の紙幣、たとえば、１００枚の紙幣を含む集積紙幣が生成される。
【０２１６】
図４に示されるように、紙幣集積部１２０には、紙幣帯封機構１３０が接続されており、  紙幣帯封機構１３０は、紙幣集積部１２０に隣接した位置に、一対の挟持部材１３１ａ、１３１ｂを有する帯封処理部１３１を備え、紙幣集積部１２０によって生成された集積紙幣は、紙幣集積部１２０に設けられた集積紙幣送出し手段（図示せず）によって、帯封処理部１３１に送り出され、帯封処理部１３１の一対の挟持部材１３１ａ、１３１ｂによって、挟持される。
【０２１７】
図４に示されるように、紙幣帯封機構１３０は、さらに、ＩＣチップとアンテナを含むインレット（図示せず）が、所定の間隔で、一体的に形成された結束テープＴを、帯封処理部１３１に供給する結束テープ供給部材１３２を備えている。
【０２１８】
結束テープ供給部材１３２によって、帯封処理部１３１に供給された結束テープＴは、帯封処理部１３１のテープ巻き付け手段（図示せず）により、一対の挟持部材１３１ａ、１３１ｂによって挟持された集積紙幣の略中央部に巻き付けられ、カッタ（図示せず）によって切断され、さらに、接着手段（図示せず）によって、集積紙幣の略中央部に巻き付けられて、切断された結束テープＴの両端部が接着され、略中央部に、帯封がされた所定枚数の紙幣、たとえば、１００枚の紙幣を含む紙幣束が生成される。
【０２１９】
図４に示されるように、紙幣帯封機構１３０は、さらに、結束テープ供給部材１３２の近傍に、結束テープＴに一体的に形成されたインレット内のＩＣチップに、生成されるべき紙幣束に含まれる紙幣のＩＤデータ、金種データなどの紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター１３５を備えている。
【０２２０】
インレットを結束テープＴに一体的に形成する方法としては、結束テープＴ用の紙を抄く際に、結束テープＴ用の紙にインレットを埋め込む方法、結束テープＴにインレットを印刷する方法などが挙げられるが、とくに限定されるものではない。
【０２２１】
図４に示されるように、紙幣帯封機構１３０の帯封処理部１３１、ＲＦＩＤライター１３５およびＲＦＩＤライター１３５の近傍の結束テープＴの搬送路は、ＲＦＩＤリーダー１２５から発信される周波数の電波およびＲＦＩＤライター１３５によって、結束テープＴに一体的に形成されたインレット内のＩＣチップにＲＦＩＤデータを書き込む際に、ＲＦＩＤライター１３５から発信される周波数の電波を遮蔽する材料によって形成されたケーシング１３６によって覆われている。
【０２２２】
図４に示されるように、紙幣帯封機構１３０には、帯封処理部１３１によって生成された紙幣束を、紙幣束出金口１０３に導く紙幣束搬送路１４０が接続されており、帯封処理部１３１の下部には、帯封処理部１３１によって生成された紙幣束を、紙幣束搬送路１４０に繰り出す紙幣束繰り出し部１３８が設けられている。
【０２２３】
図４に示されるように、ゲート部材１１７の直上流側の搬送路１１１の近傍には、紙幣を検出する第一の紙幣センサ１４５ａが設けられ、ゲート部材１１７と紙幣集積部１２０の間の搬送路１１１には、紙幣を検出する第二の紙幣センサ１４５ｂが設けられている。
【０２２４】
図５は、図４に示された紙幣処理機の制御系、検出系駆動系、入力系、表示系および駆動系を示すブロックダイアグラムであり、図６は、図４に示された紙幣処理機の駆動系の詳細を示すブロックダイアグラムである。
【０２２５】
図５に示されるように、本実施態様にかかる紙幣処理機の制御系は、紙幣処理機の動作を制御するＣＰＵ１５０と、紙幣処理機の制御プログラムなどが格納されたＲＯＭ１５１と、各種データを記憶するＲＡＭ１５２と、時計１５３を備えている。
【０２２６】
図５に示されるように、紙幣処理機のＣＰＵ１５０は、紙幣束に帯封処理を施す権限を有する金融機関によって、共同管理されている中央管理サーバ１５５に接続されている。
【０２２７】
図５に示されるように、本実施態様にかかる紙幣処理機の検出系は、紙幣判別部１１０を備えている。紙幣判別部１１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、汚損のレベルおよび紙幣の表裏、紙幣が１枚ずつ送られているか否かならびに紙幣の短辺が紙幣の搬送方向と平行になるように送られているか否かを判別するための光学データおよび磁気データを生成するセンサユニット１１０ａと、紙幣に一体的に形成されたインレット中のＩＣチップに記録された紙幣のＩＤデータ、紙幣の金種データなどのＲＦＩＤデータを読み取るＲＦＩＤリーダー１１０ｂとを備えている。
【０２２８】
図５に示されるように、本実施態様にかかる紙幣処理機の検出系は、さらに、紙幣入金口１０２内に設けられた光学センサ１０２ｂと、紙幣束出金口１０３内に設けられた光学センサ１０３ｂと、第一の紙幣返却口１０４内に設けられた光学センサ１０４ｂと、第二の紙幣返却口１０５内に設けられた光学センサ１０５ｂと、異なる向きに延びる搬送路１１１の間に設けられたＲＦＩＤリーダー１２５と、第一の紙幣センサ１４５ａと、第二の紙幣センサ１４５ｂを備えている。
【０２２９】
図５に示されるように、本実施態様にかかる紙幣処理機の入力系は、オペレータによって操作され、種々の指示信号が入力されるキーボード１８０を備えており、紙幣処理機の表示系は、紙幣の計数結果などを表示するディスプレイ１８５およびアラームを発するアラーム発生器１８８を備えている。
【０２３０】
図６に示されるように、本実施態様にかかる紙幣処理機の駆動系１５８は、繰り出しローラ（図示せず）を駆動する繰り出しローラ駆動手段１６０と、搬送路１０９、搬送路１１１、分岐搬送路１１２および分岐搬送路１１４内に設けられた搬送ローラ（図示せず）を駆動する搬送ローラ駆動手段１６１と、表裏反転搬送路１１６に設けられた複数のローラ対１１８を駆動するローラ対駆動手段１６２と、ゲート部材１１３を駆動するソレノイド１６３と、ゲート部材１１５を駆動するソレノイド１６４と、ゲート部材１１７を駆動するソレノイド１６５と、紙幣集積部１２０の紙幣集積機構１６６と、紙幣集積部１２０の集積紙幣送出し手段１６７と、紙幣帯封機構１３０の帯封処理部１３１の一対の挟持部材１３１ａ、１３１ｂを相対的に移動させるモータ１６８と、結束テープ供給部材１３２を駆動するモータ１６９と、紙幣帯封機構１３０のカッタ（図示せず）を駆動するソレノイド１７０と、紙幣帯封機構１３０の接着手段（図示せず）を駆動するソレノイド１７１と、帯封処理部１３１のテープ巻き付け手段（図示せず）を駆動するモータ１７２と、紙幣帯封機構１３０のＲＦＩＤライター１３５を駆動するＲＦＩＤライター駆動手段１７３と、紙幣束繰り出し部１３８を駆動するモータ１７４と、紙幣束搬送路１４０内に設けられた搬送ローラ（図示せず）を駆動する搬送ローラ駆動手段１７５と、紙幣入金口１０２に設けられたシャッタ１０２ａを駆動するソレノイド１７６と、紙幣束出金口１０３に設けられたシャッタ１０３ａを駆動するソレノイド１７７と、第一の紙幣返却口１０４に設けられたシャッタ１０４ａを駆動するソレノイド１７８と、第二の紙幣返却口１０５に設けられたシャッタ１０５ａを駆動するソレノイド１７９とを備えている。
【０２３１】
以上のように構成された本実施態様にかかる紙幣処理機は、以下のようにして、紙幣入金口１０２に投入された紙幣のうち、オペレータによって指定された金種の紙幣を選別して、所定枚数だけ、たとえば、１００枚だけ、集積し、集積された紙幣の略中央部に、結束テープＴを巻回して、集積紙幣に帯封処理を施し、所定枚数の紙幣、たとえば、１００枚の紙幣を含む紙幣束を生成する。
【０２３２】
まず、オペレータによって、紙幣が、紙幣入金口１０２内にセットされる。その結果、紙幣入金口１０２内に設けられた光学センサ１０２ｂによって、紙幣が検出され、紙幣検出信号がＣＰＵ１５０に出力される。
【０２３３】
次いで、オペレータによって、紙幣束の生成を指示する紙幣束生成信号とともに、紙幣束を生成すべき紙幣の金種、紙幣束に含まれるべき紙幣の枚数および生成すべき紙幣束の数を特定する紙幣束データならびに金融機関名、支店名、紙幣処理機のＩＤデータならびにオペレータの名前などの帯封処理に関するデータがキーボード１８０に入力される。
【０２３４】
オペレータによって入力された紙幣束生成信号は、紙幣束データおよび帯封処理に関するデータとともに、ＣＰＵ１５０に出力され、光学センサ１０２ｂからの紙幣検出信号、オペレータによって入力された紙幣束生成信号、紙幣束データおよび帯封処理に関するデータを受けると、ＣＰＵ１５０は、オペレータによって入力された紙幣束データおよび帯封処理に関するデータを、ＲＡＭ１５２の生成すべき紙幣束に関するデータを格納するメモリ領域に書き込む。
【０２３５】
次いで、ＣＰＵ１５０は、ソレノイド１７６に駆動信号を出力して、紙幣入金口１０２に設けられたシャッタ１０２ａを開放させるとともに、繰り出しローラ駆動手段１６０に駆動信号を出力する。同時に、ＣＰＵ１５０は、搬送ローラ駆動手段１６１および紙幣集積部１２０の紙幣集積機構１６６に駆動信号を出力して、繰り出しローラ（図示せず）、搬送路１０９、搬送路１１１、分岐搬送路１１２および分岐搬送路１１４内に設けられた搬送ローラ（図示せず）ならびに紙幣集積部１２０の紙幣集積機構１６６を駆動する。
【０２３６】
その結果、紙幣入金口１０２にセットされた紙幣は、繰り出しローラによって、１枚ずつ、搬送路１０９内に繰り出される。
【０２３７】
紙幣入金口１０２にセットされた紙幣がすべて、搬送路１０９内に取り込まれると、ＣＰＵ１５０は、ソレノイド１７６に駆動停止信号を出力して、紙幣入金口１０２のシャッタ１０２ａを閉じる。
【０２３８】
紙幣が、搬送路１０９内に繰り出されると、ＲＦＩＤリーダー１２５によって、紙幣に形成されたインレット中のＩＣチップに記録された紙幣のＩＤデータ、紙幣の金種データなどのＲＦＩＤデータが読み取られ、読み取られた紙幣のＲＦＩＤデータが、ＣＰＵ１５０に出力される。ＣＰＵ１５０は、ＲＦＩＤリーダー１２５から、紙幣のＲＦＩＤデータを受けると、ＲＡＭ１５２の所定のメモリ領域に格納する。
【０２３９】
ここに、ＲＦＩＤリーダー１２５は、所定の周波数、たとえば、マイクロ波帯の電波を発信し、紙幣に形成されたインレットのアンテナに受信させて、インレット中のＩＣチップに書き込まれたＲＦＩＤデータを読み取るように構成されているから、ＲＦＩＤリーダー１２５から発信される周波数の電波を遮蔽する性質を有する材料によって形成されている紙幣判別部１１０内に位置している紙幣と、ＲＦＩＤリーダー１２５から発信される周波数の電波を遮蔽する性質を有する材料によって形成されている紙幣集積部１２０、紙幣帯封機構１３０のケーシング１３６内に収容されている紙幣と、ＲＦＩＤリーダー１２５から発信される周波数の電波を遮蔽する性質を有する金属製のシャッタ１０２ａ、シャッタ１０３ａ、シャッタ１０４ａおよびシャッタ１０５ａによって、紙幣処理機の内部と遮断されている紙幣入金口１０２、紙幣束出金口１０３、第一の紙幣返却口１０４および第二の紙幣返却口１０５内に存在している紙幣以外の紙幣、すなわち、紙幣処理機内の搬送路に存在しているすべての紙幣のＲＦＩＤデータが、ＲＦＩＤリーダー１２５によって読み取られ、ＲＡＭ１５２の所定のメモリ領域に格納される。
【０２４０】
搬送路１０９内に繰り出された紙幣は、紙幣判別部１１０に送られる。
【０２４１】
紙幣判別部１１０においては、センサユニット１１０ａによって、紙幣の光学データおよび磁気データが読み取られるとともに、ＲＦＩＤリーダー１１０ｂによって、紙幣に一体的に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ１５０に出力される。
【０２４２】
ＣＰＵ１５０は、紙幣判別部１１０のＲＦＩＤリーダー１１０ｂから入力されたＲＦＩＤデータを、ＲＡＭ１５２の入金された紙幣に関するデータを格納するメモリ領域に書き込むとともに、ＲＡＭ１５２に書き込まれたＲＦＩＤデータに基づいて、紙幣が、現に流通している真正な紙幣か否かおよび紙幣の金種を暫定的に判別する。
【０２４３】
ここに、紙幣のＩＤデータ、紙幣の金種データなどのＲＦＩＤデータは、紙幣の発行権限を有する機関によって、特定のフォーマットで、インレット中のＩＣチップに記録されているから、ＣＰＵ１５０は、紙幣判別部１１０のＲＦＩＤリーダー１１０ｂから入力されたＲＦＩＤデータに基づいて、紙幣が、現に流通している真正な紙幣か否かを判別し、その金種を判別することができる。
【０２４４】
その結果、紙幣のＲＦＩＤデータに基づいて、紙幣判別部１１０によって検出された紙幣が、現に流通している真正な紙幣ではないと判別したときは、ＣＰＵ１５０は、判別結果をＲＡＭ１５２の入金された紙幣に関するデータを格納するメモリ領域に書き込み、これに対して、紙幣のＲＦＩＤデータに基づいて、紙幣が、現に流通している真正な紙幣と判別したときは、ＣＰＵ１５０は、紙幣のＲＦＩＤデータに基づいて、紙幣の金種を暫定的に決定し、さらに、暫定的に決定した紙幣の金種に対応する金種の紙幣の基準透過光データ、表面の基準光学データおよび基準磁気データをＲＯＭ１５１から読み出す。
【０２４５】
次いで、ＣＰＵ１５０は、光学センサ手段の透過光センサが検出した紙幣の透過光データと、暫定的に決定した金種の紙幣の基準透過光データとを比較し、まず、紙幣が１枚ずつ送られているか否かを判別する。
【０２４６】
その結果、光学センサ手段の透過光センサが検出した紙幣の透過光データと、暫定的に決定した金種の紙幣の基準透過光データとが、実質的に一致していないと判別したときは、ＣＰＵ１５０は、２枚以上の紙幣が、全部あるいはその一部が重なり合って、送られていると判別し、判別結果をＲＡＭ１５２の入金された紙幣に関するデータを格納するメモリ領域に書き込む。
【０２４７】
これに対して、光学センサ手段の透過光センサが検出した紙幣の透過光データと、暫定的に決定した金種の紙幣の基準透過光データとが、実質的に一致していると判別したときは、ＣＰＵ１５０は、その紙幣が、１枚ずつ搬送されていると判別し、さらに、紙幣判別部１１０のセンサユニット１１０ａから入力された紙幣の光学データおよび磁気データを、ＲＯＭ１５１から読み出した紙幣の基準光学データおよび基準磁気データと比較し、紙幣の金種、汚損レベルおよび表裏ならびに紙幣の短辺が紙幣の搬送方向と平行になるように送られているか否かを判別する。
【０２４８】
すなわち、光学センサ手段の反射光センサが検出した紙幣の表面パターンデータと、暫定的に決定した金種の紙幣の表面の基準表面パターンデータとを比較した結果、両者の差が第一のしきい値以下と判定したときは、ＣＰＵ１５０は、紙幣判別部１１０によって検出された紙幣は、ＲＦＩＤデータに基づいて暫定的に決定した金種の紙幣であると最終的に判別するとともに、紙幣が、１枚ずつ、表面を上にして、短辺が紙幣の搬送方向と平行になるように送られていると判別し、判別結果をＲＡＭ１５２の入金された紙幣に関するデータを格納するメモリ領域に書き込む。
【０２４９】
一方、光学センサ手段の反射光センサが検出した紙幣の表面パターンデータと、ＲＯＭ１５１から読み出した暫定的に決定した紙幣の金種に対応する金種の紙幣の表面の基準光学データとの差が、第一のしきい値以上を超えているが、第一のしきい値よりも大きい第二のしきい値以下であると判定したときは、ＣＰＵ１５０は、紙幣判別部１１０によって検出された紙幣は、ＲＦＩＤデータに基づいて暫定的に決定した金種の紙幣で、１枚ずつ、表面を上にして、短辺が紙幣の搬送方向と平行になるように送られているが、汚損レベルが所定レベルを超えた汚損紙幣であると判別して、判別結果をＲＡＭ１５２の入金された紙幣に関するデータを格納するメモリ領域に書き込む。
【０２５０】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ１５０は、さらに、暫定的に決定した紙幣の金種に対応する金種の紙幣の裏面の基準光学データをＲＯＭ１５１から読み出して、光学センサ手段の反射光センサが検出した紙幣の表面パターンデータと比較する。
【０２５１】
その結果、両者の差が第三のしきい値以下と判定したときは、ＣＰＵ１５０は、紙幣判別部１１０によって検出された紙幣は、ＲＦＩＤデータに基づいて暫定的に決定した金種の紙幣であると最終的に判別するとともに、紙幣が、裏面を上にして、１枚ずつ、短辺が紙幣の搬送方向と平行になるように送られていると判別し、判別結果をＲＡＭ１５２の入金された紙幣に関するデータを格納するメモリ領域に書き込む。
【０２５２】
これに対して、光学センサ手段の反射光センサが検出した紙幣の表面パターンデータと、ＲＯＭ１５１から読み出した暫定的に決定した紙幣の金種に対応する金種の紙幣の裏面の基準光学データとの差が、第三のしきい値よりも大きい第四のしきい値を超えていると判定したときは、ＣＰＵ１５０は、その紙幣は、現に流通している真正な紙幣で、１枚ずつ、搬送されているが、紙幣の短辺が紙幣の搬送方向と平行になるように送られていないと判別し、判別結果をＲＡＭ１５２の入金された紙幣に関するデータを格納するメモリ領域に書き込む。
【０２５３】
一方、光学センサ手段の反射光センサが検出した紙幣の表面パターンデータと、ＲＯＭ１５１から読み出した暫定的に決定した紙幣の金種に対応する金種の紙幣の裏面の基準光学データとの差が、第三のしきい値以上を超えているが、第四のしきい値以下であると判定したときは、ＣＰＵ１５０は、紙幣判別部１１０によって検出された紙幣は、ＲＦＩＤデータに基づいて暫定的に決定した金種の紙幣で、１枚ずつ、裏面を上にして、短辺が紙幣の搬送方向と平行になるように送られているが、汚損レベルが所定レベルを超えた汚損紙幣であると判別して、判別結果をＲＡＭ１５２の入金された紙幣に関するデータを格納するメモリ領域に書き込む。
【０２５４】
本実施態様においては、このように、紙幣のＲＦＩＤデータに基づき、紙幣判別部１１０によって検出された紙幣が、現に流通している真正な紙幣であるか否かを判別し、現に流通している真正な紙幣であると判別したときは、紙幣のＲＦＩＤデータに基づき、紙幣の金種を暫定的に決定し、暫定的に決定した紙幣の金種に対応する金種の紙幣の基準光学データおよび基準磁気データをＲＯＭ１５１から読み出し、紙幣判別部１１０のセンサユニット１１０ａから入力された紙幣の光学データおよび磁気データを、ＲＯＭ１５１から読み出した紙幣の基準光学データおよび基準磁気データと比較して、紙幣の金種を最終的に判別するとともに、その紙幣の汚損のレベル、紙幣が１枚ずつ送られているか否かならびに紙幣の短辺が紙幣の搬送方向と平行になるように送られているか否かを判別するように構成されているから、紙幣の判別に要する時間を大幅に短縮することが可能になる。
【０２５５】
紙幣判別部１１０を通過した紙幣は、搬送路１１１に送られる。
【０２５６】
このようにして、紙幣判別部１１０が検出したデータに基づいて、紙幣を判別した結果、紙幣判別部１１０によって検出された紙幣が、偽造紙幣もしくは外国紙幣と判別した場合、２枚以上の紙幣の全部あるいは一部が重なり合って、送られていると判別した場合あるいは紙幣の短辺が紙幣の搬送方向と角度をなして送られていると判別した場合には、ＣＰＵ１５０は、ゲート部材１１３を駆動するソレノイド１６３に駆動信号を出力して、搬送路１１１と分岐搬送路１１２とを連通させる。
【０２５７】
その結果、偽造紙幣もしくは外国紙幣と判別した場合、２枚以上の紙幣の全部あるいは一部が重なり合って、送られている場合および紙幣の短辺が紙幣の搬送方向と角度をなして送られている場合には、紙幣は、搬送路１１１から、分岐搬送路１１２を介して、第一の紙幣返却口１０４に送られ、オペレータに返却される。
【０２５８】
本実施態様においては、紙幣判別部１１０は、ＲＦＩＤリーダー１１０ｂを備えており、ＲＦＩＤリーダー１１０ｂによって、紙幣に一体的に形成されたインレット中のＩＣチップに記録された紙幣のＩＤデータ、紙幣の金種データなどのＲＦＩＤデータが読み取られるから、２枚以上の紙幣の全部あるいは一部が重なり合って、送られている場合や、紙幣の短辺が紙幣の搬送方向と角度をなして送られている場合においても、その紙幣の金種を正確に判別することができるが、２枚以上の紙幣の全部あるいは一部が重なり合って、送られている場合や、紙幣の短辺が紙幣の搬送方向と角度をなして送られている場合には、それらの紙幣は、搬送路１１１の下流側においてジャミングを起こすおそれがあるため、第一の紙幣返却口１０４に送って、オペレータに返却するように構成されている。
【０２５９】
一方、紙幣判別部１１０が検出したデータに基づいて、紙幣を判別した結果、紙幣判別部１１０によって検出された紙幣が、現に流通している真正な紙幣で、１枚ずつ、短辺が紙幣の搬送方向と平行になるように送られているが、その金種が、オペレータによって指定された紙幣束を生成すべき紙幣の金種とは異なっていると判別した場合および現に流通している真正な紙幣で、１枚ずつ、短辺が紙幣の搬送方向と平行になるように送られているが、汚損レベルが所定レベルを超えた汚損紙幣であると判別した場合には、ＣＰＵ１５０は、ゲート部材１１５を駆動するソレノイド１６４に駆動信号を出力して、搬送路１１１と分岐搬送路１１４とを連通させる。
【０２６０】
その結果、現に流通している真正な紙幣で、１枚ずつ、短辺が紙幣の搬送方向と平行になるように送られているが、その金種が、オペレータによって指定された紙幣束を生成すべき紙幣の金種とは異なっている紙幣および汚損レベルが所定レベルを超えた汚損紙幣は、搬送路１１１から、分岐搬送路１１４を介して、第二の紙幣返却口１０５に送られ、オペレータに返却される。
【０２６１】
これに対して、紙幣判別部１１０が検出したデータに基づいて、紙幣を判別した結果、紙幣判別部１１０によって検出された紙幣が、現に流通している真正な紙幣で、１枚ずつ、短辺が紙幣の搬送方向と平行になるように送られているときは、その紙幣は、分岐搬送路１１２および分岐搬送路１１４の分岐部を通過して、搬送路１１１内を下流側に送られ、第一の紙幣センサ１４５ａによって検出される。
【０２６２】
第一の紙幣センサ１４５ａによって紙幣が検出されると、紙幣検出信号がＣＰＵ１５０に出力される。
【０２６３】
第一の紙幣センサ１４５ａから、紙幣検出信号が入力されると、その紙幣が裏面を上にして搬送されていると判別していた場合には、ＣＰＵ１５０は、ゲート部材１１７を駆動するソレノイド１６５に駆動信号を出力して、搬送路１１１と表裏反転搬送路１１６とを連通させるとともに、表裏反転搬送路１１６に設けられた複数のローラ対１１８を駆動するローラ対駆動手段１６２に駆動信号を出力して、複数のローラ対１１８を駆動させる。
【０２６４】
その結果、紙幣は、搬送路１１１から、表裏反転搬送路１１６内に送られた後、複数のローラ対１１８が逆転されるのにともなって、搬送路１１１に戻され、表面が上を向いた状態で、搬送路１１１内を、さらに下流側に送られる。
【０２６５】
一方、紙幣判別部１１０が検出したデータに基づいて、紙幣を判別した結果、紙幣判別部１１０によって検出された紙幣が、現に流通している真正な紙幣で、表面を上にして、１枚ずつ、短辺が紙幣の搬送方向と平行になるように送られていると判別したときは、ＣＰＵ１５０は、ゲート部材１１７を駆動するソレノイド１６５に駆動信号を出力せず、紙幣は、表裏反転搬送路１１６の分岐部を通過して、搬送路１１１内を、さらに下流側に送られる。
【０２６６】
紙幣が、第二の紙幣センサ１４５ｂに近傍の搬送路１１１に達すると、第二の紙幣センサ１４５ｂによって検出され、紙幣検出信号がＣＰＵ１５０に出力される。
【０２６７】
第二の紙幣センサ１４５ｂを通過した紙幣は、紙幣集積部１２０に送られる。
【０２６８】
したがって、紙幣集積部１２０には、オペレータが指定した金種の現に流通している真正な紙幣で、１枚ずつ、短辺が紙幣の搬送方向と平行になるように送られている紙幣のみが、表面が上を向いた状態で、送られる。
【０２６９】
紙幣集積部１２０に送られた紙幣は、紙幣集積機構１６６によって、紙幣集積部１２０内で、集積される。
【０２７０】
こうして、オペレータが指定した金種の現に流通している真正な紙幣で、１枚ずつ、短辺が紙幣の搬送方向と平行になるように送られている紙幣が、次々に、紙幣集積部１２０に送られて、集積された結果、ＲＡＭ１５２の入金された紙幣に関するデータを格納するメモリ領域に書き込まれたデータに基づいて、所定枚数の紙幣、たとえば、１００枚の紙幣が、紙幣集積部１２０に送られて、集積されたと判定すると、ＣＰＵ１５０は、繰り出しローラ駆動手段１６０に駆動停止信号を出力して、繰り出しローラの駆動を停止させ、紙幣入金口１０２にセットされた紙幣の取り込みを、一時的に中断させるとともに、紙幣集積部１２０の集積紙幣送出し手段１６７に駆動信号を出力して、紙幣集積部１２０内に集積された紙幣を、紙幣帯封機構１３０の帯封処理部１３１に移送させる。
【０２７１】
紙幣集積部１２０内に集積された紙幣が、紙幣帯封機構１３０の帯封処理部１３１に移送されると、ＣＰＵ１５０は、モータ１６８に駆動信号を出力して、帯封処理部１３１の一対の挟持部材１３１ａ、１３１ｂを互いに近接させる。
【０２７２】
その結果、所定枚数の紙幣、たとえば、１００枚の紙幣を含む集積紙幣が、一対の挟持部材１３１ａ、１３１ｂによって挟持される。
【０２７３】
次いで、ＣＰＵ１５０は、結束テープ供給部材１３２を駆動するモータ１６９に駆動信号を出力して、結束テープＴを、帯封処理部１３１に向けて繰り出させ、さらに、ＲＡＭ１５２の生成すべき紙幣束に関するデータを格納するメモリ領域に書き込まれた帯封処理に関するデータおよびＲＡＭ１５２の入金された紙幣に関するデータを格納するメモリ領域に書き込まれた紙幣集積部１２０に送られた紙幣のＲＦＩＤデータを読み出して、駆動信号とともに、紙幣帯封機構１３０のＲＦＩＤライター１３５を駆動するＲＦＩＤライター駆動手段１７３に出力する。
【０２７４】
その結果、ＲＦＩＤライター１３５によって、結束テープ供給部材１３２から、帯封処理部１３１に向けて繰り出された結束テープＴに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータが書き込まれる。
【０２７５】
さらに、ＣＰＵ１５０は、結束テープＴに一体的に形成されたインレット内のＩＣチップに書き込んだ帯封処理に関するデータを、紙幣束に帯封処理を施す権限を有する金融機関によって、共同管理されている中央管理サーバ１５５に出力する。こうして、中央管理サーバ１５５に、集積紙幣に巻回された結束テープＴに一体的に形成されたインレット中のＩＣチップに、ＲＦＩＤライター１３５によって書き込まれた帯封処理に関するデータが格納される。
【０２７６】
インレット内のＩＣチップに、紙幣束を構成する紙幣に関するＲＦＩＤデータおよび帯封処理に関するＲＦＩＤデータが書き込まれた結束テープＴは、帯封処理部１３１内に送られ、結束テープＴが帯封処理部１３１内に送られると、ＣＰＵ１５０から、帯封処理部１３１のテープ巻き付け手段（図示せず）を駆動するモータ１７２に駆動信号が出力され、結束テープＴが、一対の挟持部材１３１ａ、１３１ｂに挟持された集積紙幣の略中央部に巻き付けられる。
【０２７７】
所定の長さの結束テープＴが集積紙幣に巻き付けられたと判定すると、ＣＰＵ１５０は、紙幣帯封機構３０のカッタ（図示せず）を駆動するソレノイド１７０に駆動信号を出力して、カッタにより、結束テープＴを切断させ、さらに、紙幣帯封機構１３０の接着手段（図示せず）を駆動するソレノイド１７１に駆動信号を出力して、接着手段によって、切断された結束テープＴの端部を接着させる。
【０２７８】
こうして、所定枚数の紙幣、たとえば、１００枚の紙幣を含み、結束テープＴが巻回されて、帯封が付された紙幣束が生成される。
【０２７９】
紙幣束が生成されると、ＣＰＵ１５０は、ＲＡＭ１５２の生成された紙幣束に関するデータを格納するメモリ領域に、生成された紙幣束の金種および数に関する紙幣束生成データを書き込むとともに、紙幣束繰り出し部１３８を駆動するモータ１７４および紙幣束搬送路１４０内に設けられた搬送ローラ（図示せず）を駆動する搬送ローラ駆動手段１７５に駆動信号を出力する。
【０２８０】
その結果、生成された紙幣束は、紙幣束繰り出し部１３８によって、帯封処理部１３１から、紙幣束搬送路１４０内に繰り出され、紙幣束出金口１０３に出金される。
【０２８１】
こうして、生成された紙幣束が、紙幣束出金口１０３に出金されると、ＣＰＵ１５０は、ソレノイド１７６に駆動信号を出力して、紙幣入金口１０２のシャッタ１０２ａを開放させるとともに、繰り出しローラ駆動手段１６０に駆動信号を出力して、繰り出しローラを駆動させ、紙幣入金口１０２にセットされた紙幣の取り込みを再開させる。
【０２８２】
同様の操作が繰り返されて、紙幣入金口１０２にセットされた紙幣が、次々に、紙幣処理機内に繰り出されて、所定枚数の紙幣、たとえば、１００枚の紙幣を含み、結束テープＴが巻回されて、帯封が付された紙幣束が生成され、ＣＰＵ１５０によって、ＲＡＭ１５２の生成された紙幣束に関するデータを格納するメモリ領域に書き込まれた紙幣束生成データが書き換えられる。
【０２８３】
その結果、紙幣束生成データ中の生成された紙幣束の数が、ＲＡＭ１５２の生成すべき紙幣束に関するデータを格納するメモリ領域に書き込まれた紙幣束データ中の生成すべき紙幣束の数に等しくなり、生成された紙幣束が紙幣束出金口１０３に出金されると、ＣＰＵ１５０は、紙幣の帯封処理を完了させる。
【０２８４】
紙幣の帯封処理の完了後、紙幣束出金口１０３に設けられた光学センサ１０３ｂから、紙幣検出信号が入力されているときは、紙幣束出金口１０３に出金した紙幣束をオペレータが取り忘れていると認められるから、ＣＰＵ１５０は、ディスプレイ１８５に、紙幣束出金口１０３に紙幣束が残留している旨を表示する。
【０２８５】
一方、紙幣の帯封処理の完了後、第一の紙幣返却口１０４に設けられた光学センサ１０４ｂから、紙幣検出信号が入力されているときは、第一の紙幣返却口１０４に返却した紙幣をオペレータが取り忘れていると認められるから、ＣＰＵ１５０は、ディスプレイ１８５に、紙幣束出金口１０３に紙幣束が残留している旨を表示する。
【０２８６】
また、紙幣の帯封処理の完了後、第二の紙幣返却口１０５に設けられた光学センサ１０５ｂから、紙幣検出信号が入力されているときは、第二の紙幣返却口１０５に返却した紙幣をオペレータが取り忘れていると認められるから、ＣＰＵ１５０は、ディスプレイ１８５に、紙幣束出金口１０３に紙幣束が残留している旨を表示する。
【０２８７】
一方、紙幣の帯封処理の実行中に、繰り出しローラ駆動手段１６０に駆動信号を出力してから、第一の所定時間が経過しても、紙幣判別部１１０から、紙幣の光学データ、磁気データおよびＲＦＩＤデータが入力されないときは、ＣＰＵ１５０は、紙幣入金口１０２と紙幣判別部１１０との間の搬送路１１１内で、紙幣のジャミングが発生していると判定し、搬送ローラ駆動手段１６１に駆動停止信号を出力するとともに、ディスプレイ１８５に、紙幣処理機に故障が発生した旨を表示し、アラーム発生器１８８にアラームを発せさせる。
【０２８８】
また、紙幣の帯封処理の実行中に、紙幣判別部１１０から、紙幣の光学データ、磁気データおよびＲＦＩＤデータが入力されてから、第二の所定時間が経過しても、第一の紙幣センサ１４５ａから紙幣検出信号が入力されないときは、ＣＰＵ１５０は、紙幣判別部１１０と第一の紙幣センサ１４５ａとの間の搬送路１１１内で、紙幣のジャミングが発生していると判定し、搬送ローラ駆動手段１６１に駆動停止信号を出力するとともに、ディスプレイ１８５に、紙幣処理機に故障が発生した旨を表示し、アラーム発生器１８８にアラームを発せさせる。
【０２８９】
さらに、紙幣の帯封処理の実行中に、第一の紙幣センサ１４５ａから紙幣検出信号が入力されてから、第三の所定時間が経過しても、第二の紙幣センサ１４５ｂから紙幣検出信号が入力されないときは、ＣＰＵ１５０は、第一の紙幣センサ１４５ａの近傍の搬送路１１１と第二の紙幣センサ１４５ｂの近傍の搬送路１１１との間の搬送路１１１内で、紙幣のジャミングが発生していると判定し、搬送ローラ駆動手段１６１に駆動停止信号を出力するとともに、ディスプレイ１８５に、紙幣処理機に故障が発生した旨を表示し、アラーム発生器１８８にアラームを発せさせる。
【０２９０】
紙幣処理機に故障が発生した旨が、ディスプレイ１８５に表示され、アラーム発生器１８８からアラームを発せられると、オペレータによって、紙幣処理機が開かれて、ジャミングを起こした紙幣が取り除かれるとともに、紙幣処理機内に残留しているすべての紙幣が取り除かれる。
【０２９１】
ここに、本実施態様においては、紙幣処理機内の搬送路に残留しているすべての紙幣に形成されたインレット中のＩＣチップに記録された紙幣のＩＤデータ、紙幣の金種データなどのＲＦＩＤデータが、ＲＦＩＤリーダー１２５によって読み取られ、ＲＡＭ１５２の所定のメモリ領域に格納されているから、オペレータは、キーボード１８０に指示信号を入力して、ＲＦＩＤリーダー１２５によって読み取られ、ＲＡＭ１５２の所定のメモリ領域に格納されている紙幣のＲＦＩＤデータをディスプレイ１８５に表示させることができ、したがって、確実にかつ速やかに、紙幣処理機内の搬送路に残留しているすべての紙幣を取り除き、紙幣処理機を再稼動させることが可能になるから、紙幣処理機の処理効率を大幅に向上させることができる。
【０２９２】
紙幣処理機内の搬送路に残留している紙幣を取り除き、紙幣処理機を再稼動させる場合には、オペレータによって、キーボード１８０にリスタート信号が入力される。
【０２９３】
リスタート信号はＣＰＵ１５０に出力され、リスタート信号を受けると、ＣＰＵ１５０は、ＲＦＩＤリーダー１２５から出力された紙幣のＲＦＩＤデータを、ＲＡＭ１５２の所定のメモリ領域に格納するとともに、ＲＦＩＤリーダー１２５から入力されたＲＦＩＤデータに基づいて、搬送路内に、紙幣が残存しているか否かを判定する。
【０２９４】
その結果、搬送路内に、紙幣が残存していると判定したときは、オペレータが取り除き忘れた紙幣が搬送路内に残存していると認められるから、ＣＰＵ１５０は、ＲＡＭ１５２の所定のメモリ領域に格納されている紙幣のＲＦＩＤデータと、搬送路内に、紙幣が残存している旨をディスプレイ１８５に表示するとともに、アラーム発生器１８８にアラームを発せさせる。
【０２９５】
したがって、搬送路内の紙幣を取り除き忘れた場合にも、オペレータは容易に、その事実を知り、搬送路内の紙幣を完全に取り除いた上で、紙幣処理機を再稼動させることが可能になる。
【０２９６】
搬送路内の紙幣が取り除かれると、オペレータによって、再び、キーボード１８０にリスタート信号が入力され、紙幣処理機が再稼動される。
【０２９７】
これに対して、搬送路内に、紙幣が残存していないと判定したときは、ＣＰＵ１５０は、搬送ローラ駆動手段１６１に駆動信号を出力して、搬送路１０９、搬送路１１１、分岐搬送路１１２および分岐搬送路１１４内に設けられた搬送ローラ（図示せず）を駆動させるとともに、ローラ対駆動手段１６２に駆動信号を出力して、表裏反転搬送路１１６に設けられた複数のローラ対１１８を駆動させ、紙幣の処理が再開される。
【０２９８】
本実施態様によれば、帯封処理が施されて、生成された紙幣束に巻回されている結束テープＴに形成されたインレット中のＩＣチップには、金融機関名、支店名、紙幣処理機のＩＤデータ、オペレータの名前、帯封処理を実行する日時などの帯封処理に関するＲＦＩＤデータが書き込まれているから、結束テープＴに形成されたインレット中のＩＣチップに書き込まれた帯封処理に関するＲＦＩＤデータを読み取ることによって、容易に、紙幣束が生成された履歴を知ることができ、したがって、紙幣束を所望のように管理することが可能になる。
【０２９９】
また、本実施態様によれば、結束テープＴに形成されたインレット内のＩＣチップに書き込まれた帯封処理に関するデータは、紙幣束に帯封処理を施す権限を有する金融機関によって、共同管理されている中央管理サーバ１５５に出力されて、格納されるように構成されているから、結束テープＴに形成されたインレット内のＩＣチップに書き込まれた帯封処理に関するＲＦＩＤデータを読み取り、中央管理サーバー１５５にアクセスすることによって、紙幣束が、紙幣束に帯封処理を施す権限を有する機関によって、真正に生成されたものか否かを正確に判断することができ、したがって、紙幣束を所望のように管理することが可能になる。
【０３００】
さらに、本実施態様によれば、帯封処理が施されて、生成された紙幣束に巻回されている結束テープＴに形成されたインレット中のＩＣチップには、紙幣束に含まれる紙幣の金種データ、ＩＤデータなどの紙幣束を構成する紙幣に関するＲＦＩＤデータが書き込まれているから、ＲＦＩＤデータを読み取ることによって、帯封処理が施された紙幣束に含まれている紙幣を特定することができ、したがって、紙幣束の生成後に、紙幣が抜き取られた場合にも、抜き取られた紙幣を特定することができるから、紙幣束を所望のように管理することが可能になる。
【０３０１】
また、本実施態様によれば、異なる向きに延びる搬送路１１１の間に、紙幣に形成されたインレット中のＩＣチップに記録された紙幣のＩＤデータ、紙幣の金種データなどのＲＦＩＤデータを読み取るＲＦＩＤリーダー１２５が設けられ、所定の周波数、たとえば、マイクロ波帯の電波を発信し、紙幣に形成されたインレットのアンテナに受信させて、インレット中のＩＣチップに書き込まれたＲＦＩＤデータを読み取るように構成されているから、ＲＦＩＤリーダー１２５から発信される周波数の電波を遮蔽する性質を有する材料によって形成されている紙幣判別部１１０内に位置している紙幣と、ＲＦＩＤリーダー１２５から発信される周波数の電波を遮蔽する性質を有する材料によって形成されている紙幣集積部１２０、紙幣帯封機構１３０のケーシング１３６内に収容されている紙幣と、ＲＦＩＤリーダー１２５から発信される周波数の電波を遮蔽する性質を有する金属製のシャッタ１０２ｂ、シャッタ１０３ｂ、シャッタ１０４ｂおよびシャッタ１０５ｂによって、紙幣処理機の内部と遮断されている紙幣入金口１０２、紙幣束出金口１０３、第一の紙幣返却口１０４および第二の紙幣返却口１０５内に存在している紙幣以外の紙幣、すなわち、紙幣処理機内の搬送路に存在しているすべての紙幣のＲＦＩＤデータが、ＲＦＩＤリーダー１２５によって読み取られ、ＲＡＭ１５２の所定のメモリ領域に格納される。したがって、紙幣のジャミングが発生し、紙幣処理機の作動を停止させて、ジャミングを起こした紙幣を取り除くとともに、紙幣処理機内に残留しているすべての紙幣を取り除いて、紙幣処理機を再稼動させるときに、オペレータは、キーボード１８０に指示信号を入力して、ＲＦＩＤリーダー１２５によって読み取られ、ＲＡＭ１５２の所定のメモリ領域に格納されている紙幣のＲＦＩＤデータをディスプレイ１８５に表示させることができるから、確実にかつ速やかに、紙幣処理機内の搬送路に残留しているすべての紙幣を取り除き、紙幣処理機を再稼動させることができ、紙幣処理機の処理効率を大幅に向上させることが可能になる。
【０３０２】
さらに、本実施態様によれば、紙幣処理機を再稼動させるにあたり、オペレータによって、キーボード１８０にリスタート信号が入力され、リスタート信号がＣＰＵ１５０に出力されたときに、ＣＰＵ１５０が、ＲＦＩＤリーダー１２５から入力されたＲＦＩＤデータに基づいて、搬送路内に、紙幣が残存しているか否かを判定し、搬送路内に、紙幣が残存していると判定したときは、搬送路内に、紙幣が残存している旨をディスプレイ１８５に表示するとともに、アラーム発生器１８８にアラームを発せさせるように構成されているから、搬送路内の紙幣を取り除き忘れた場合にも、オペレータは容易に、その事実を知って、搬送路内の紙幣を完全に取り除いた上で、紙幣処理機を再稼動させることが可能になり、したがって、紙幣処理機の処理効率をより一層向上させることが可能になる。
【０３０３】
本発明は、以上の実施態様に限定されることなく、特許請求の範囲に記載された発明の範囲内で種々の変更が可能であり、それらも本発明の範囲内に包含されるものであることはいうまでもない。
【０３０４】
たとえば、前記実施態様においては、ＲＦＩＤリーダー１５ｂ、２９、４０ｂ、１２５、１１０ｂが用いられているが、紙幣に形成されたインレット中のＩＣチップと通信可能な手段であればよく、ＲＦＩＤリーダーを用いることは必ずしも必要でない。
【０３０５】
さらに、図１および図２に示された実施態様においては、紙幣処理機は、搬送路内に存在する紙幣のＲＦＩＤデータを読み取るＲＦＩＤリーダー２９を備え、図４および図５に示された実施態様においては、紙幣処理機は、搬送路内に存在する紙幣のＲＦＩＤデータを読み取るＲＦＩＤリーダー１２５を備えているが、２以上のＲＦＩＤリーダーを設けて、搬送路内に存在する紙幣のＲＦＩＤデータを読み取るようにしてもよい。
【０３０６】
また、図１および図２に示された実施態様においては、ＲＦＩＤリーダー２９は、ゲート部材２５と紙幣判別部１５の間に設けられているが、ＲＦＩＤリーダー２９を、ゲート部材２５と紙幣判別部１５の間に設けることは必ずしも必要でなく、搬送路内に存在するすべての紙幣のＲＦＩＤデータを読み取ることができれば、ＲＦＩＤリーダー２９を設ける位置はとくに限定されるものではない。
【０３０７】
さらに、図４および図５に示された実施態様においては、ＲＦＩＤリーダー１２５は、異なる向きに延びる搬送路１１１の間に設けられているが、ＲＦＩＤリーダー１２５を、異なる向きに延びる搬送路１１１の間に設けることは必ずしも必要でなく、搬送路内に存在するすべての紙幣のＲＦＩＤデータを読み取ることができれば、ＲＦＩＤリーダー１２５を設ける位置はとくに限定されるものではない。
【０３０８】
また、図１および図２に示された実施態様においては、第一の紙幣センサ４９ａ、第二の紙幣センサ４９ｂ、第三の紙幣センサ４９ｃおよび第四の紙幣センサ４９ｄは、それぞれ、分岐搬送路１７の分岐部の直下流側の搬送路１６の近傍、ゲート部材２３の直上流側の搬送路１６の近傍、第一の紙幣繰り出し部３３ａの直下流側の出金紙幣搬送路３５の近傍およびゲート部材４６の直上流側の出金紙幣搬送路３５の近傍に設けられているが、搬送路１６、出金紙幣搬送路３５および分岐搬送路４５内で、紙幣がジャミングを起こしたときに、確実に、紙幣のジャミングが発生した事実を検出することができれば、第一の紙幣センサ４９ａ、第二の紙幣センサ４９ｂ、第三の紙幣センサ４９ｃおよび第四の紙幣センサ４９ｄを設ける位置はとくに限定されるものではない。
【０３０９】
さらに、図４および図５に示された実施態様においては、第一の紙幣センサ１４５ａは、ゲート部材１１７の直上流側の搬送路１１１の近傍に設けられ、第二の紙幣センサ１４５ｂは、ゲート部材１１７と紙幣集積部１２０の間の搬送路１１１に設けられているが、第一の紙幣センサ１４５ａを、ゲート部材１１７の直上流側の搬送路１１１の近傍に設け、第二の紙幣センサ１４５ｂを、ゲート部材１１７と紙幣集積部１２０の間の搬送路１１１に設けることは必ずしも必要でなく、紙幣の搬送路１１１内で、紙幣がジャミングを起こしたときに、確実に、紙幣のジャミングが発生した事実を検出することができれば、第一の紙幣センサ１４５ａおよび第二の紙幣センサ１４５ｂを設ける位置はとくに限定されるものではない。
【０３１０】
また、図１および図２に示された実施態様においては、紙幣入金口１１は、金属性のシャッタ１１ａを備え、シャッタ１１ａによって、紙幣処理機の内部機構と遮断されているが、紙幣入金口１１が、金属性のシャッタ１１ａを備えていることは必ずしも必要でなく、金属性のシャッタ１１ａに代えて、一対の金属性のローラを備えていてもよい。
【０３１１】
さらに、図１および図２に示された実施態様においては、紙幣出金口１２は、金属性のシャッタ１２ａを備え、シャッタ１２ａによって、紙幣処理機の内部機構と遮断されているが、紙幣出金口１２が、金属性のシャッタ１２ａを備えていることは必ずしも必要でなく、金属性のシャッタ１２ａに代えて、一対の金属性のローラを備えていてもよい。
【０３１２】
また、図１および図２に示された実施態様においては、紙幣返却口１３は、金属性のシャッタ１３ａを備え、シャッタ１３ａによって、紙幣処理機の内部機構と遮断されているが、紙幣返却口１３が、金属性のシャッタ１３ａを備えていることは必ずしも必要でなく、金属性のシャッタ１３ａに代えて、一対の金属性のローラを備えていてもよい。
【０３１３】
さらに、図１および図２に示された実施態様においては、紙幣入金口１１内に、光学センサ１１ｂが設けられているが、紙幣入金口１１内に、光学センサ１１ｂを設けることは必ずしも必要でない。
【０３１４】
また、図１および図２に示された実施態様においては、紙幣出金口１２内に、光学センサ１２ｂが設けられているが、紙幣出金口１２内に、光学センサ１２ｂを設けることは必ずしも必要でない。
【０３１５】
さらに、図１および図２に示された実施態様においては、紙幣返却口１３内に、光学センサ１３ｂが設けられているが、紙幣返却口１３内に、光学センサ１３ｂを設けることは必ずしも必要でない。
【０３１６】
また、図４および図５に示された実施態様においては、紙幣入金口１０２は、金属性のシャッタ１０２ａを備え、シャッタ１０２ａによって、紙幣処理機の内部機構と遮断されているが、紙幣入金口１０２が、金属性のシャッタ１０２ａを備えていることは必ずしも必要でなく、金属性のシャッタ１０２ａに代えて、一対の金属性のローラを備えていてもよい。
【０３１７】
さらに、図１および図２に示された実施態様においては、紙幣出金口１０３は、金属性のシャッタ１０３ａを備え、シャッタ１０３ａによって、紙幣処理機の内部機構と遮断されているが、紙幣出金口１０３が、金属性のシャッタ１０３ａを備えていることは必ずしも必要でなく、金属性のシャッタ１０３ａに代えて、一対の金属性のローラを備えていてもよい。
【０３１８】
また、図４および図５に示された実施態様においては、第一の紙幣返却口１０４は、金属性のシャッタ１０４ａを備え、シャッタ１０４ａによって、紙幣処理機の内部機構と遮断されているが、第一の紙幣返却口１０４が、金属性のシャッタ１０４ａを備えていることは必ずしも必要でなく、金属性のシャッタ１０４ａに代えて、一対の金属性のローラを備えていてもよい。
【０３１９】
さらに、図４および図５に示された実施態様においては、第二の紙幣返却口１０５は、金属性のシャッタ１０５ａを備え、シャッタ１０５ａによって、紙幣処理機の内部機構と遮断されているが、第二の紙幣返却口１０５が、金属性のシャッタ１０５ａを備えていることは必ずしも必要でなく、金属性のシャッタ１０５ａに代えて、一対の金属性のローラを備えていてもよい。
【０３２０】
また、図４および図５に示された実施態様においては、紙幣入金口１０２内に、光学センサ１０２ｂが設けられているが、紙幣入金口１０２内に、光学センサ１０２ｂを設けることは必ずしも必要でない。
【０３２１】
さらに、図４および図５に示された実施態様においては、紙幣出金口１０３内に、光学センサ１０３ｂが設けられているが、紙幣出金口１０３内に、光学センサ１０３ｂを設けることは必ずしも必要でない。
【０３２２】
また、図４および図５に示された実施態様においては、第一の紙幣返却口１０４内に、光学センサ１０４ｂが設けられているが、第一の紙幣返却口１０４内に、光学センサ１０４ｂを設けることは必ずしも必要でない。
【０３２３】
さらに、図４および図５に示された実施態様においては、第二の紙幣返却口１０５内に、光学センサ１０５ｂが設けられているが、第二の紙幣返却口１０５内に、光学センサ１０５ｂを設けることは必ずしも必要でない。
【０３２４】
また、図１および図２に示された実施態様においては、紙幣処理機は、紙幣を入金する紙幣入金口１１と、紙幣を出金する紙幣出金口１２を備えているが、紙幣入金口１１と紙幣出金口１２とを別個に設けることなく、紙幣を入金し、かつ、出金可能な単一の紙幣取引口を設けることもできる。
【０３２５】
さらに、図４および図５に示された実施態様においては、紙幣処理機は、紙幣を入金する紙幣入金口１０２と、紙幣を出金する紙幣出金口１０３を備えているが、紙幣入金口１０２と紙幣出金口１０３とを別個に設けることなく、紙幣を入金し、かつ、出金可能な単一の紙幣取引口を設けることもできる。
【０３２６】
また、図１および図２に示された実施態様においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、紙幣に形成されたインレット中のＩＣチップに記録された紙幣のＩＤデータ、紙幣の金種データなどのＲＦＩＤデータを読み取るＲＦＩＤリーダー４０ｂとを備え、出金すべき紙幣の全部あるいは一部が重なり合って、送られていると判別した場合および出金すべき紙幣が、その短辺が紙幣の搬送方向と角度をなして送られていると判別した場合に、それらの紙幣を、紙幣回収ボックス４３内に送って、回収するように構成されているが、出金すべき紙幣が、その短辺が紙幣の搬送方向と角度をなして送られていても、出金紙幣判別部４０の下流側の出金紙幣搬送路３５に、出金すべき紙幣を、出金紙幣搬送路３５の一方に壁部に沿って、整列させる機構を設けることによって、出金すべき紙幣が、その短辺が紙幣の搬送方向と平行になるように整列させることは可能であるから、出金すべき紙幣が、その短辺が紙幣の搬送方向と角度をなして送られていると判別した場合に、その紙幣を、紙幣回収ボックス４３内に送って、回収するように構成することは必ずしも必要でない。さらに、第一の紙幣収納ボックス３０ａ、第二の紙幣収納ボックス３０ｂ、第三の紙幣収納ボックス３０ｃおよび第四の紙幣収納ボックス３０ｄから繰り出された出金すべき紙幣は、いずれも、紙幣判別部１５が検出したデータに基づいて、現に流通している真正な紙幣と判別された紙幣であり、紙幣判別部１５が検出したデータに基づいて、判別された金種にしたがって、第一の紙幣収納ボックス３０ａ、第二の紙幣収納ボックス３０ｂ、第三の紙幣収納ボックス３０ｃあるいは第四の紙幣収納ボックス３０ｄ内に収納されているから、出金紙幣判別部４０が検出したデータに基づいて、出金すべき紙幣が、現に流通している真正な紙幣であるか否かを判別することは必ずしも必要でない。また、前記実施態様においては、光学センサ手段の透過光センサが検出した紙幣の透過光データと、暫定的に決定した金種の紙幣の基準透過光データとを比較し、両者が実質的に一致していないときに、２枚以上の紙幣が、全部あるいはその一部が重なり合って、送られていると判別するように構成されているが、２枚以上の紙幣が、全部あるいはその一部が重なり合って、送られている場合には、ＲＦＩＤリーダー４０ｂから、所定の時間内に、２枚以上の紙幣のＲＦＩＤデータがＣＰＵ５０に入力されるから、ＣＰＵ５０を、ＲＦＩＤリーダー４０ｂから、所定の時間内に、２枚以上の紙幣のＲＦＩＤデータが入力されたときに、２枚以上の紙幣が、全部あるいはその一部が重なり合って、送られていると判別し、所定の時間内に、何枚の紙幣のＲＦＩＤデータが入力されたに基づいて、何枚の紙幣が重なり合って送られているかを判別するように構成することもできる。したがって、出金紙幣判別部４０は、出金すべき紙幣に形成されたインレット中のＩＣチップに記録された紙幣のＩＤデータ、紙幣の金種データなどのＲＦＩＤデータを読み取るＲＦＩＤリーダー４０ｂを備えていれば足り、出金紙幣判別部４０が、紙幣に向けて、光を発する光源と、光源から発せられ、紙幣によって反射された光を検出する反射光センサと、光源から発せられ、紙幣を透過した光を検出するセンサとを含む光学センサ手段と、紙幣の磁気的性質を検出する磁気センサを備えていることは必ずしも必要でない。さらには、出金紙幣判別部４０に送られる紙幣に、偽造紙幣や外国紙幣などが含まれている場合においても、ＲＦＩＤリーダー４０ｂは、現に流通している真正な紙幣以外を検出しないから、出金紙幣判別部４０に、ＲＦＩＤリーダー４０ｂを設け、出金紙幣判別部４０の上流側に、紙幣を検出する簡易な構成のセンサを設けておけば、出金紙幣判別部４０に、紙幣に向けて、光を発する光源と、光源から発せられ、紙幣によって反射された光を検出する反射光センサと、光源から発せられ、紙幣を透過した光を検出するセンサとを含む光学センサ手段と、紙幣の磁気的性質を検出する磁気センサを設ける必要はない。
【０３２７】
さらに、前記実施態様においては、紙幣判別部１５、１１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損レベル、紙幣が１枚ずつ送られているか否かならびに紙幣の短辺が紙幣の搬送方向と平行になるように送られているか否かを判別するための光学データおよび磁気データを生成するセンサユニット１５ａ、１１０ａと、紙幣に形成されたインレット中のＩＣチップに記録された紙幣のＩＤデータ、紙幣の金種データなどのＲＦＩＤデータを読み取るＲＦＩＤリーダー１５ｂ、１１０ｂとを備えているが、２枚以上の紙幣の全部あるいは一部が重なり合って、送られているか否かは、センサユニット１５ａ、１１０ａに含まれる光学センサ手段の透過光センサが検出した透過光データによって判別することができ、一方、センサユニット１５ａ、１１０ａに含まれる光学センサ手段の反射光センサが検出したデータに基づいて、金種が確定できない紙幣には、偽造紙幣および外国紙幣だけでなく、紙幣の短辺が紙幣の搬送方向と角度をなして送られている紙幣も含まれるが、紙幣判別部１５、１１０が検出した紙幣のデータに基づいて、偽造紙幣あるいは外国紙幣と判別された紙幣ならびに紙幣の短辺が紙幣の搬送方向と角度をなして送られていると判別された紙幣は、いずれも、紙幣返却口１３または第一の紙幣返却口１０４に送られて、オペレータに返却され、紙幣判別部１５、１１０が検出した紙幣のデータに基づいて、偽造紙幣あるいは外国紙幣と、紙幣の短辺が紙幣の搬送方向と角度をなして送られている紙幣とを区別する必要はないから、紙幣判別部１５、１１０は、センサユニット１５ａ、１１０ａを備えていればよく、ＲＦＩＤデータを読み取るＲＦＩＤリーダー１５ｂ、１１０ｂを備えていることは必ずしも必要でない。さらに、紙幣判別部１５、１１０が、光学センサ手段を備えていれば、ＣＰＵ５０、１５０は、紙幣判別部１５、１１０が検出した紙幣のデータに基づいて、紙幣の金種および汚損レベルを判別することができるから、紙幣判別部１５、１１０に含まれるセンサユニット１５ａ、１１０ａが、磁気センサを備えていることは必ずしも必要でない。
【０３２８】
また、前記実施態様においては、紙幣判別部１５、１１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損レベル、紙幣が１枚ずつ送られているか否かならびに紙幣の短辺が紙幣の搬送方向と平行になるように送られているか否かを判別するための光学データおよび磁気データを生成するセンサユニット１５ａ、１１０ａと、紙幣に形成されたインレット中のＩＣチップに記録された紙幣のＩＤデータ、紙幣の金種データなどのＲＦＩＤデータを読み取るＲＦＩＤリーダー１５ｂ、１１０ｂとを備え、ＣＰＵ５０、１５０は、センサユニット１５ａ、１１０ａに含まれた光学センサ手段の反射光センサが検出した紙幣の反射光データと、ＲＦＩＤリーダー１５ｂ、１１０ｂが読み取った紙幣のＲＦＩＤデータに基づいて、紙幣の短辺が紙幣の搬送方向と平行になるように送られているか否かを判別するように構成されているが、紙幣判別部１５、１１０に、さらに、紙幣判別部１５、１１０を通過する紙幣の両側部を検出する一対の光学センサを設け、一対の光学センサが紙幣を検出するタイミングにしたがって、ＣＰＵ５０、１５０が、紙幣の短辺が紙幣の搬送方向と平行になるように送られているか否かを判別するように構成することもできる。
【０３２９】
さらに、図１および図２に示された実施態様においては、ＣＰＵ５０は、紙幣判別部１５のＲＦＩＤリーダー１５ｂから入力されたＲＦＩＤデータに基づいて、紙幣が、現に流通している真正な紙幣か否かおよび紙幣の金種を暫定的に判別するとともに、紙幣が受け入れ可能か否かを判別し、紙幣が受け入れ可能なときは、暫定的に決定した紙幣の金種に対応する金種の紙幣の基準光学データおよび基準磁気データをＲＯＭ５１から読み出して、紙幣判別部１５のセンサユニット１５ａから入力された紙幣の光学データおよび磁気データと比較し、紙幣の金種を最終的に判別するように構成されているが、紙幣判別部１５のＲＦＩＤリーダー１５ｂから入力されたＲＦＩＤデータに基づいて、紙幣が受け入れ可能か否かおよび紙幣の金種を判別するとともに、紙幣判別部１５のセンサユニット１５ａから入力された紙幣の光学データおよび磁気データに基づいて、紙幣が受け入れ可能か否かおよび紙幣の金種を判別し、紙幣のＲＦＩＤデータに基づく判別結果と、紙幣の光学データおよび磁気データに基づく判別結果とが一致したときに、その紙幣は判別された金種の紙幣であると判別し、紙幣のＲＦＩＤデータに基づく判別結果と、紙幣の光学データおよび磁気データに基づく判別結果とが一致しないときは、その紙幣は受け入れ不能な紙幣であると判別するように構成することもできる。
【０３３０】
また、図１および図２に示された実施態様においては、ＣＰＵ５０は、出金紙幣判別部４０のＲＦＩＤリーダー４０ｂから入力されたＲＦＩＤデータに基づいて、紙幣が、現に流通している真正な紙幣か否かおよび紙幣の金種を暫定的に判別するとともに、紙幣が受け入れ可能か否かを判別し、紙幣が受け入れ可能なときは、暫定的に決定した紙幣の金種に対応する金種の紙幣の基準光学データおよび基準磁気データをＲＯＭ５１から読み出して、出金紙幣判別部４０のセンサユニット４０ａから入力された紙幣の光学データおよび磁気データと比較し、紙幣の金種を最終的に判別するように構成されているが、出金紙幣判別部４０のＲＦＩＤリーダー４０ｂから入力されたＲＦＩＤデータに基づいて、紙幣が受け入れ可能か否かおよび紙幣の金種を判別するとともに、出金紙幣判別部４０のセンサユニット４０ａから入力された紙幣の光学データおよび磁気データに基づいて、紙幣が受け入れ可能か否かおよび紙幣の金種を判別し、紙幣のＲＦＩＤデータに基づく判別結果と、紙幣の光学データおよび磁気データに基づく判別結果とが一致したときに、その紙幣は判別された金種の紙幣であると判別し、紙幣のＲＦＩＤデータに基づく判別結果と、紙幣の光学データおよび磁気データに基づく判別結果とが一致しないときは、その紙幣は受け入れ不能な紙幣であると判別するように構成することもできる。
【０３３１】
さらに、図４および図５に示された実施態様においては、ＣＰＵ１５０は、紙幣判別部１１０のＲＦＩＤリーダー１１０ｂから入力されたＲＦＩＤデータに基づいて、紙幣が、現に流通している真正な紙幣か否かおよび紙幣の金種を暫定的に判別するとともに、紙幣が受け入れ可能か否かを判別し、紙幣が受け入れ可能なときは、暫定的に決定した紙幣の金種に対応する金種の紙幣の基準光学データおよび基準磁気データをＲＯＭ１５１から読み出して、紙幣判別部１１０のセンサユニット１１０ａから入力された紙幣の光学データおよび磁気データと比較し、紙幣の金種を最終的に判別するように構成されているが、紙幣判別部１１０のＲＦＩＤリーダー１１０ｂから入力されたＲＦＩＤデータに基づいて、紙幣が受け入れ可能か否かおよび紙幣の金種を判別するとともに、紙幣判別部１１０のセンサユニット１１０ａから入力された紙幣の光学データおよび磁気データに基づいて、紙幣が受け入れ可能か否かおよび紙幣の金種を判別し、紙幣のＲＦＩＤデータに基づく判別結果と、紙幣の光学データおよび磁気データに基づく判別結果とが一致したときに、その紙幣は判別された金種の紙幣であると判別し、紙幣のＲＦＩＤデータに基づく判別結果と、紙幣の光学データおよび磁気データに基づく判別結果とが一致しないときは、その紙幣は受け入れ不能な紙幣であると判別するように構成することもできる。
【０３３２】
さらに、図１および図２に示された実施態様においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、紙幣に形成されたインレット中のＩＣチップに記録された紙幣のＩＤデータ、紙幣の金種データなどのＲＦＩＤデータを読み取るＲＦＩＤリーダー４０ｂとを備えているが、ＲＦＩＤリーダー４０ｂが読み取った紙幣のＲＦＩＤデータに基づいて、ＣＰＵ５０は、紙幣が、真正でかつ現に流通している紙幣か否かおよび紙幣の金種を判別することができ、また、２枚以上の紙幣の全部あるいは一部が重なり合って、送られている場合には、出金紙幣判別部４０のＲＦＩＤリーダー４０ｂから、所定の時間内に、２枚以上の紙幣のＲＦＩＤデータが、ＣＰＵ５０に入力され、ＣＰＵ５０は、ＲＦＩＤリーダー４０ｂが読み取ったＲＦＩＤデータに基づき、２枚以上の紙幣の全部あるいは一部が重なり合って、送られているか否かを判別することも可能であるから、出金紙幣判別部４０は、ＲＦＩＤリーダー４０ｂに加えて、紙幣の短辺が紙幣の搬送方向と平行になるように送られているか否かを判別するためのデータを検出するセンサを備えていればよく、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えたセンサユニット４０ａを備えていることは必ずしも必要でない。上述のように、ＣＰＵ５０は、ＲＦＩＤリーダー４０ｂが読み取った紙幣のＲＦＩＤデータに基づいて、紙幣が、真正でかつ現に流通している紙幣か否か、真正でかつ現に流通している紙幣である場合は、その金種ならびに紙幣が１枚ずつ送られているか否かを判別することができ、ＲＦＩＤリーダー４０ｂが読み取ったＲＦＩＤデータおよび反射光センサが検出した紙幣の反射光データに基づき、紙幣の短辺が紙幣の搬送方向と平行になるように送られているか否かを判別することができるから、出金紙幣判別部４０は、ＲＦＩＤリーダー４０ｂに加えて、反射光センサを備えていれば十分であるし、また、反射光センサに代えて、出金紙幣判別部４０に、紙幣判別部１５を通過する紙幣の両側部を検出する一対の光学センサを設け、一対の光学センサが紙幣を検出するタイミングにしたがって、ＣＰＵ５０が、紙幣の短辺が紙幣の搬送方向と平行になるように送られているか否かを判別するように構成することもできる。
【０３３３】
また、前記実施態様においては、紙幣判別部１５、１１０のセンサユニット１５ａ、１１０ａおよび出金紙幣判別部４０のセンサユニット４０ａは、それぞれ、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、紙幣の金種および汚損レベル、紙幣が１枚ずつ送られているか否かならびに紙幣の短辺が紙幣の搬送方向と平行になるように送られているか否かを判別するための光学データおよび磁気データを生成するように構成されているが、紙幣判別部１５，１１０のセンサユニット１５ａ、１１０ａおよび出金紙幣判別部４０のセンサユニット４０ａが、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えていることは必ずしも必要でなく、光学センサ手段および磁気センサに代えて、紙幣に向けて、紫外線光源を発する紫外線光源と、紫外線光源から発せられた紫外線によって、紙幣に含まれた蛍光物質が励起されて、放出された蛍光を検出する光学センサを用いることもできる。
【０３３４】
さらに、図１および図２に示された実施態様においては、第一の紙幣収納ボックス３０ａ、第二の紙幣収納ボックス３０ｂ、第三の紙幣収納ボックス３０ｃおよび第四の紙幣収納ボックス３０ｄの内壁には、それぞれ、昇降可能で、かつ、対応する紙幣収納ボックスの内壁面と滑らかに連なる退避位置と、内壁面から突出した突出位置との間で、支点まわりに揺動可能に形成された一対の係止爪３２ａ、３２ａ、一対の係止爪３２ｂ、３２ｂ、一対の係止爪３２ｃ、３２ｃおよび一対の係止爪３２ｄ、３２ｄが設けられているが、第一の紙幣収納ボックス３０ａ、第二の紙幣収納ボックス３０ｂ、第三の紙幣収納ボックス３０ｃあるいは第四の紙幣収納ボックス３０ｄ内に収納された紙幣の枚数を確認する収納紙幣確認処理を実行するときに、対応する紙幣収納ボックスから、繰り出され、出金紙幣判別部４０によって判別された紙幣が、その紙幣収納ボックス内に送り返された際、それらの紙幣を、紙幣収納ボックス内に収納されている紙幣と分離して、収納することができればよく、第一の紙幣収納ボックス３０ａ、第二の紙幣収納ボックス３０ｂ、第三の紙幣収納ボックス３０ｃおよび第四の紙幣収納ボックス３０ｄの内壁に、それぞれ、昇降可能で、かつ、対応する紙幣収納ボックスの内壁面と滑らかに連なる退避位置と、内壁面から突出した突出位置との間で、支点まわりに揺動可能に形成された一対の係止爪３２ａ、３２ａ、一対の係止爪３２ｂ、３２ｂ、一対の係止爪３２ｃ、３２ｃおよび一対の係止爪３２ｄ、３２ｄを設けることは必ずしも必要でない。さらには、第一の紙幣収納ボックス３０ａ、第二の紙幣収納ボックス３０ｂ、第三の紙幣収納ボックス３０ｃあるいは第四の紙幣収納ボックス３０ｄ内に収納された紙幣の枚数を確認する収納紙幣確認処理を実行するときに、対応する紙幣収納ボックスから、繰り出され、出金紙幣判別部４０によって判別された紙幣が、その紙幣収納ボックス内に送り返された際、それらの紙幣を、紙幣収納ボックス内に収納されている紙幣と分離して、収納する機構を、第一の紙幣収納ボックス３０ａ、第二の紙幣収納ボックス３０ｂ、第三の紙幣収納ボックス３０ｃおよび第四の紙幣収納ボックス３０ｄに設けるのに代えて、第一の紙幣収納ボックス３０ａ、第二の紙幣収納ボックス３０ｂ、第三の紙幣収納ボックス３０ｃあるいは第四の紙幣収納ボックス３０ｄに加え、第一の紙幣収納ボックス３０ａ、第二の紙幣収納ボックス３０ｂ、第三の紙幣収納ボックス３０ｃあるいは第四の紙幣収納ボックス３０ｄ内に収納された紙幣がすべて繰り出されるまでの間、第一の紙幣収納ボックス３０ａ、第二の紙幣収納ボックス３０ｂ、第三の紙幣収納ボックス３０ｃあるいは第四の紙幣収納ボックス３０ｄから、繰り出され、出金紙幣判別部４０によって判別された紙幣を一時的に貯留する紙幣貯留ボックスを設けることもできる。
【０３３５】
また、図１および図２に示された実施態様においては、紙幣判別部１５によって検出されたデータに基づいて、ＣＰＵ５０は、紙幣が、真正でかつ現に流通している紙幣であるか否か、紙幣が真正でかつ現に流通している紙幣である場合には、その金種、紙幣が、１枚ずつ、搬送されているか否かならびに紙幣が、その短辺が紙幣の搬送方向と平行になるように搬送されているかを判別するように構成されているが、さらに、紙幣判別部１５によって検出されたデータに基づいて、ＣＰＵ５０が、紙幣の表裏を判別するように構成するとともに、搬送路１６と紙幣一時貯留ユニット２７との間に、紙幣の表裏を反転可能な表裏反転機構を設け、紙幣が裏向きで送られていると判別したときは、紙幣の表裏を反転させて、紙幣一時貯留ユニット２７に送るように構成することもできる。
【０３３６】
さらに、図１および図２に示された実施態様においては、紙幣一時貯留ユニット２７は、ロック部材によるロックが解除することによって、スライドさせて、紙幣処理機から取り出し可能に構成され、紙幣処理機の紙幣入金口１１に投入された紙幣の入金処理を中止する場合に、紙幣一時貯留ユニット２７の汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を回収可能に構成されているが、紙幣一時貯留ユニット２７を、紙幣処理機から取り出し可能に構成することは必ずしも必要でなく、紙幣一時貯留ユニット２７の汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を繰り出して、紙幣返却口１３に送り返す機構を設けて、紙幣処理機の紙幣入金口１１に投入された紙幣の入金処理を中止するときに、紙幣一時貯留ユニット２７の汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を、紙幣返却口１３に返却可能に構成し、紙幣一時貯留ユニット２７を紙幣処理機に固定するように構成することもできる。
【０３３７】
また、図４および図５に示された実施態様においては、紙幣判別部１１０によって検出されたデータに基づいて、ＣＰＵ１５０は、紙幣が、真正でかつ現に流通している紙幣であるか否か、紙幣が真正でかつ現に流通している紙幣である場合には、その金種、紙幣が、１枚ずつ、搬送されているか否か、紙幣の表裏ならびに紙幣が、その短辺が紙幣の搬送方向と平行になるように搬送されているかを判別するように構成され、紙幣処理機は、紙幣の表裏を反転させる表裏反転搬送路１６を備えているが、ＣＰＵ１５０が、紙幣判別部１１０によって検出されたデータに基づいて、紙幣の表裏を判別し、紙幣処理機が、紙幣の表裏を反転させる表裏反転搬送路１１６を備えていることは必ずしも必要でない。
【０３３８】
さらに、図４および図５に示された実施態様においては、紙幣処理機は、紙幣入金口１０２にセットされた紙幣から、オペレータが指定した金種の紙幣を選別し、所定枚数の選別した紙幣を重ね合わせて、紙幣束を生成し、生成された所定枚数の紙幣を含む紙幣束に結束テープＴを巻回して、帯封処理が施された紙幣束を生成する専用の紙幣帯封機として構成されているが、紙幣処理機が専用の紙幣帯封機として構成されていることは必ずしも必要でなく、さらに、紙幣を入金して、金種別に収納し、必要に応じて、出金する紙幣入出金機構を備えていてもよい。たとえば、紙幣処理機に、紙幣を投入する紙幣入金口を備え、紙幣入金口に投入された紙幣を判別して、現に流通している真正な紙幣を、金種別に、複数の紙幣収納ボックス内に収納し、必要に応じて、出金するように構成された紙幣入出金機構を設け、紙幣入出金機構の複数の紙幣収納ボックスのいずれかに収納された紙幣を、１枚ずつ、繰り出して、所定枚数の紙幣を重ね合わせ、生成された所定枚数の紙幣を含む紙幣束に結束テープＴを巻回して、帯封処理が施された紙幣束を生成するように、紙幣処理機を構成することもできる。
【０３３９】
また、図４および図５に示された実施態様においては、一対の挟持部材１３１ａ、１３１ｂによって挟持された集積紙幣の略中央部に、結束テープＴを巻き付けて、紙幣束を生成するのに先立って、ＲＦＩＤライター１３５によって、結束テープＴに一体的に形成されたインレット内のＩＣチップあるいは結束テープＴに貼付されたラベルに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むように構成されているが、結束テープＴを巻き付けて、紙幣束を生成するのに先立って、結束テープＴに一体的に形成されたインレット内のＩＣチップあるいは結束テープＴに貼付されたラベルに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むことは必ずしも必要でなく、一対の挟持部材１３１ａ、１３１ｂによって挟持された集積紙幣の略中央部に、結束テープＴを巻き付けて、紙幣束を生成した後に、結束テープＴに一体的に形成されたインレット内のＩＣチップあるいは結束テープＴに貼付されたラベルに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むようにすることもできる。
【０３４０】
さらに、図４および図５に示された実施態様においては、ＣＰＵ１５０が、紙幣束を生成する権限を有する金融機関が共同管理する中央管理サーバ１５５に接続され、帯封処理部１３１が、集積紙幣に結束テープＴを巻き付けて、紙幣束を生成するときに、結束テープＴに一体的に形成されたインレット内のＩＣチップあるいは結束テープＴに貼付されたラベルに一体的に形成されたインレット内のＩＣチップに書き込んだ帯封処理に関するＲＦＩＤデータが、中央管理サーバ１５５に出力されて、格納されるように構成されているが、帯封が付された紙幣束が、紙幣束に帯封処理を施す権限を有する機関によって、真正に生成されたものか否かは、結束テープＴに一体的に形成されたインレット内のＩＣチップあるいは結束テープＴに貼付されたラベルに一体的に形成されたインレット内のＩＣチップに書き込まれた紙幣束を構成する紙幣に関するＲＦＩＤデータと、紙幣束を構成している紙幣に一体的に形成されたインレット内のＩＣチップに書き込まれている紙幣のＩＤデータ、金種データなどのＲＦＩＤデータを、ＲＦＩＤリーダーによって読み取り、照合することにより判別することができるから、ＣＰＵ１５０が、紙幣束を生成する権限を有する金融機関が共同管理する中央管理サーバ１５５に接続され、帯封処理部１３１が、集積紙幣に結束テープＴを巻き付けて、紙幣束を生成するときに、結束テープＴに一体的に形成されたインレット内のＩＣチップあるいは結束テープＴに貼付されたラベルに一体的に形成されたインレット内のＩＣチップに書き込んだ帯封処理に関するＲＦＩＤデータが、紙幣束を生成する権限を有する金融機関が共同管理する中央管理サーバ１５５に格納されるように構成されていることは必ずしも必要でない。
【０３４１】
また、図４および図５に示された実施態様においては、紙幣帯封機構１３０の帯封処理部１３１およびＲＦＩＤライター１３５は、ＲＦＩＤライター１３５によって、結束テープＴに一体的に形成されたインレット内のＩＣチップあるいは結束テープＴに貼付されたラベルに一体的に形成されたインレット内のＩＣチップにＲＦＩＤデータを書き込む際に、ＲＦＩＤライター１３５から発信される周波数の電波を遮蔽する材料によって形成されたケーシング１３６によって覆われているが、結束テープＴに一体的に形成されたインレット内のＩＣチップあるいは結束テープＴに貼付されたラベルに一体的に形成されたインレット内のＩＣチップに、あらかじめ、固有のＩＤデータが書き込まれ、ＩＣチップが、書き込まれた固有のＩＤデータとともに、ＲＦＩＤライター１３５から発信された電波以外は受信しないように構成されている場合には、紙幣帯封機構１３０の帯封処理部１３１およびＲＦＩＤライター１３５が、ＲＦＩＤライター１３５から発信される周波数の電波を遮蔽する材料によって形成されたケーシング１３６によって覆われていることは必ずしも必要でない。
【０３４２】
さらに、図４および図５に示された実施態様においては、紙幣入金口１０２にセットされた紙幣のうち、受け入れ可能ではあるが、その金種が、オペレータが指定した金種とは異なると判別された真正な紙幣および汚損レベルが所定レベルを超えた汚損紙幣を返却する第二の紙幣返却口１０５を設けているが、これらのオペレータが指定した金種とは異なると判別された真正な紙幣および汚損レベルが所定レベルを超えた汚損紙幣は、受け入れ不能と判別された紙幣と同様に、第一の紙幣返却口１０４から返却するように構成して、第二の紙幣返却口１０５を省略することもできる。
【０３４３】
また、図４および図５に示された実施態様においては、単位紙幣束に巻回された結束テープＴには、結束テープ用の紙を抄く際に、結束テープ用の紙にインレットを埋め込む方法、結束テープＴにインレットを印刷する方法などによって、ＩＣチップとアンテナを含むインレットが一体的に形成されているが、単位紙幣束に巻回された結束テープＴに、ＩＣチップとアンテナを含むインレットが一体的に形成されていることは必ずしも必要でなく、ＩＣチップとアンテナを含むインレットが一体的に形成されたラベルを、結束テープＴに貼り付けて、インレットを結束テープＴに形成してもよい。
【図面の簡単な説明】
【０３４４】
【図１】図１は、本発明の好ましい実施態様にかかる紙幣処理機の略縦断面図である。
【図２】図２は、図１に示された紙幣処理機の制御系、検出系、入力系、表示系および駆動系を示すブロックダイアグラムである。
【図３】図３は、図１に示された紙幣処理機の駆動系の詳細を示すブロックダイアグラムである。
【図４】図４は、本発明の別の好ましい実施態様にかかる紙幣処理機の略縦断面図である。
【図５】図５は、図４に示された紙幣処理機の制御系、検出系駆動系、入力系、表示系および駆動系を示すブロックダイアグラムである。
【図６】図６は、図４に示された紙幣処理機の駆動系の詳細を示すブロックダイアグラムである。
【符号の説明】
【０３４５】
１０  ハウジング
１１  紙幣入金口
１１ａ  シャッタ
１１ｂ  光学センサ
１２  紙幣出金口
１２ａ  シャッタ
１２ｂ  光学センサ
１３  紙幣返却口
１３ａ  シャッタ
１３ｂ  光学センサ
１４  搬送路
１５  紙幣判別部
１５ａ  センサユニット
１５ｂ  ＲＦＩＤリーダー
１５ｃ  ケーシング
１６  搬送路
１７  分岐搬送路
１８  ゲート部材
１９  分岐搬送路
２０  分岐搬送路
２１  分岐搬送路
２２  分岐搬送路
２３  ゲート部材
２４  ゲート部材
２５  ゲート部材
２６  ゲート部材
２７  紙幣一時貯留ユニット
２７ａ  第一の紙幣一時貯留ボックス
２７ｂ  第二の紙幣一時貯留ボックス
２７ｃ  第三の紙幣一時貯留ボックス
２７ｄ  第四の紙幣一時貯留ボックス
２８  汚損紙幣一時貯留ボックス
２９  ＲＦＩＤリーダー
３０  紙幣収納ユニット
３０ａ  第一の紙幣収納ボックス
３０ｂ  第二の紙幣収納ボックス
３０ｃ  第三の紙幣収納ボックス
３０ｄ  第四の紙幣収納ボックス
３１  汚損紙幣収納ボックス
３２ａ  第一の紙幣収納ボックスの係止爪
３２ｂ  第二の紙幣収納ボックスの係止爪
３２ｃ  第三の紙幣収納ボックスの係止爪
３２ｄ  第四の紙幣収納ボックスの係止爪
３３ａ  第一の紙幣繰り出し部
３３ｂ  第二の紙幣繰り出し部
３３ｃ  第三の紙幣繰り出し部
３３ｄ  第四の紙幣繰り出し部
３５  出金紙幣搬送路
４０  出金紙幣判別部
４０ａ  センサユニット
４０ｂ  ＲＦＩＤリーダー
４０ｃ  ケーシング
４１  分岐搬送路
４２  ゲート部材
４３  紙幣回収ボックス
４５  分岐搬送路
４６  ゲート部材
４７  接続搬送路
４８  ゲート部材
４９ａ  第一の紙幣センサ
４９ｂ  第二の紙幣センサ
４９ｃ  第三の紙幣センサ
４９ｄ  第四の紙幣センサ
５０  ＣＰＵ
５１  ＲＯＭ
５２  ＲＡＭ
５４  紙幣処理機の駆動系
５５  ローラ駆動手段
５６  ソレノイド
５７  ソレノイド
５８  ソレノイド
５９  ソレノイド
６０  ソレノイド
６１  ソレノイド
６２  ソレノイド
６４ａ  ソレノイド手段
６４ｂ  ソレノイド手段
６４ｃ  ソレノイド手段
６４ｄ  ソレノイド手段
６５  ソレノイド
６６  ソレノイド
６７  ソレノイド
６８  ソレノイド
６９  ソレノイド
７０ａ  モータ
７０ｂ  モータ
７０ｃ  モータ
７０ｄ  モータ
７１  ソレノイド
７２  ソレノイド
７３  ソレノイド
７４  紙幣繰り出し手段
７５  キーボード
７７  ディスプレイ
７８  アラーム発生器
１００  ハウジング
１０２  紙幣入金口
１０２ａ  シャッタ
１０２ｂ  光学センサ
１０３  紙幣束出金口
１０３ａ  シャッタ
１０３ｂ  光学センサ
１０４  第一の紙幣返却口
１０４ａ  シャッタ
１０４ｂ  光学センサ
１０５  第二の紙幣返却口
１０５ａ  シャッタ
１０５ｂ  光学センサ
１０９  搬送路
１１０  紙幣判別部
１１０ａ  センサユニット
１１０ｂ  ＲＦＩＤリーダー
１１１  搬送路
１１２  分岐搬送路
１１３  ゲート部材
１１４  分岐搬送路
１１５  ゲート部材
１１６  表裏反転搬送路
１１７  ゲート部材
１１８  ローラ対
１２０  紙幣集積部
１２５  ＲＦＩＤリーダー
１３０  紙幣帯封機構
１３１ａ、３１ｂ  挟持部材
１３１  帯封処理部
１３２  結束テープ供給部材
１３５  ＲＦＩＤライター
１３６  ケーシング
１４０  紙幣束搬送路
１４５ａ  第一の紙幣センサ
１４５ｂ  第二の紙幣センサ
１５０  ＣＰＵ
１５１  ＲＯＭ
１５２  ＲＡＭ
１５３  時計
１５５  中央管理サーバ
１５８  紙幣処理機の駆動系
１６０  繰り出しローラ駆動手段
１６１  搬送ローラ駆動手段
１６２  ローラ対駆動手段
１６３  ソレノイド
１６４  ソレノイド
１６５  ソレノイド
１６６  紙幣集積機構
１６７  集積紙幣送出し手段
１６８  モータ
１６９  モータ
１７０  ソレノイド
１７１  ソレノイド
１７２  モータ
１７３  ＲＦＩＤライター駆動手段
１７４  モータ
１７５  搬送ローラ駆動手段
１７６  ソレノイド
１７７  ソレノイド
１７８  ソレノイド
１７９  ソレノイド
１８０  キーボード
１８５  ディスプレイ
１８８  アラーム発生器
【図１】
2008046896.tif 000003
【図２】
2008046896.tif 000004
【図３】
2008046896.tif 000005
【図４】
2008046896.tif 000006
【図５】
2008046896.tif 000007
【図６】
2008046896.tif 000008